(57)【特許請求の範囲】
【請求項１】
ショートトレーニングフィールド（ＳＴＦ）を含む無線パケットを６０ＧＨｚ周波数帯で受信する段階と、
前記ＳＴＦと第１のプリアンブルコンポーネントシーケンスとの間の相互相関ピークの第１の数、及び、前記ＳＴＦと第２のプリアンブルコンポーネントシーケンスとの間の相互相関ピークの第２の数を決定する段階であって、第１のパケットタイプに対して、前記第１の数は第１の閾値に等しい、又は、前記第２の数は第２の閾値に等しく、第２のパケットタイプに対して、前記第１の数は前記第２の閾値に等しい、又は、前記第２の数は前記第１の閾値に等しい、段階と、
決定された前記第１の数が前記第２の閾値に等しい場合、又は、決定された前記第２の数が前記第１の閾値に等しい場合に、前記無線パケットが前記第２のパケットタイプであると決定する段階と、
を備え、前記第１のパケットタイプは、米国電気電子技術者協会（ＩＥＥＥ）８０２．１１ａｄパケットタイプであり、前記第２のパケットタイプは、ＩＥＥＥ８０２．１１ａｙパケットタイプである、方法。
【請求項２】
前記第１の閾値は、４８であり、前記第２の閾値は、１６である、請求項１に記載の方法。
【請求項３】
前記第１のプリアンブルコンポーネントシーケンスは、Ｇａ１２８であり、前記第２のプリアンブルコンポーネントシーケンスは、Ｇｂ１２８である、請求項１に記載の方法。
【請求項４】
ショートトレーニングフィールド（ＳＴＦ）、ヘッダ、ペイロード、及びトレーニングフィールドを含む無線パケットを６０ＧＨｚ周波数帯で送信する段階を備え、前記ＳＴＦは、第１のプリアンブルコンポーネントシーケンスと相関する場合に、相互相関ピークの第１の数を生成し、前記ＳＴＦは、第２のプリアンブルコンポーネントシーケンスと相関する場合に、相互相関ピークの第２の数を生成し、第１のパケットタイプに対して、前記第１の数は第１の閾値に等しい、又は、前記第２の数は第２の閾値に等しく、第２のパケットタイプに対して、前記第１の数は前記第２の閾値に等しい、又は、前記第２の数は前記第１の閾値に等しく、
前記第１のパケットタイプは、米国電気電子技術者協会（ＩＥＥＥ）８０２．１１ａｄパケットタイプであり、前記第２のパケットタイプは、ＩＥＥＥ８０２．１１ａｙパケットタイプである、方法。
【請求項５】
前記第１の閾値は、４８であり、前記第２の閾値は、１６である、請求項４に記載の方法。
【請求項６】
前記第１のプリアンブルコンポーネントシーケンスは、Ｇｂ１２８であり、前記第２のプリアンブルコンポーネントシーケンスは、Ｇａ１２８である、請求項４に記載の方法。
【請求項７】
プロセッサと、
受信機と、
前記プロセッサによる実行のために、プログラミングを格納するコンピュータ可読記憶媒体と、
を備える受信デバイスであって、
前記プログラミングは、
ショートトレーニングフィールド（ＳＴＦ）を含む無線パケットを６０ＧＨｚ周波数帯で受信するように前記受信機に命令するオペレーションと、
前記ＳＴＦと第１のプリアンブルコンポーネントシーケンスとの間の相互相関ピークの第１の数、及び、前記ＳＴＦと第２のプリアンブルコンポーネントシーケンスとの間の相互相関ピークの第２の数を決定するオペレーションであって、第１のパケットタイプに対して、前記第１の数は第１の閾値に等しい、又は、前記第２の数は第２の閾値に等しく、第２のパケットタイプに対して、前記第１の数は前記第２の閾値に等しい、又は、前記第２の数は前記第１の閾値に等しい、オペレーションと、
決定された前記第１の数が前記第２の閾値に等しい場合、又は、決定された前記第２の数が前記第１の閾値に等しい場合に、前記無線パケットが前記第２のパケットタイプであると決定するオペレーションと、
を含むオペレーションを前記プロセッサに実行させ、
前記受信機は、ショートトレーニングフィールド（ＳＴＦ）を含む無線パケットを６０ＧＨｚ周波数帯で受信し、
前記第１のパケットタイプは、米国電気電子技術者協会（ＩＥＥＥ）８０２．１１ａｄパケットタイプであり、前記第２のパケットタイプは、ＩＥＥＥ８０２．１１ａｙパケットタイプである、
受信デバイス。
【請求項８】
プロセッサと、
送信機と、
前記プロセッサによる実行のために、プログラミングを格納するコンピュータ可読記憶媒体と、
を備える送信デバイスであって、
前記プログラミングは、
ショートトレーニングフィールド（ＳＴＦ）、ヘッダ、ペイロード、及びトレーニングフィールドを含む無線パケットを生成するオペレーションであって、前記ＳＴＦは、第１のプリアンブルコンポーネントシーケンスと相関する場合に、相互相関ピークの第１の数を生成し、前記ＳＴＦは、第２のプリアンブルコンポーネントシーケンスと相関する場合に、相互相関ピークの第２の数を生成し、第１のパケットタイプに対して、前記第１の数は第１の閾値に等しい、又は、前記第２の数は第２の閾値に等しく、第２のパケットタイプに対して、前記第１の数は前記第２の閾値に等しい、又は、前記第２の数は前記第１の閾値に等しい、オペレーションと、
前記無線パケットを６０ＧＨｚ周波数帯で送信するように前記送信機に命令するオペレーションと、
を含むオペレーションを前記プロセッサに実行させ、
前記送信機は、前記無線パケットを６０ＧＨｚ周波数帯で送信し、
前記第１のパケットタイプは、米国電気電子技術者協会（ＩＥＥＥ）８０２．１１ａｄパケットタイプであり、前記第２のパケットタイプは、ＩＥＥＥ８０２．１１ａｙパケットタイプである、
送信デバイス。
【請求項９】
請求項１から６のいずれか１項に記載の方法をコンピュータに実行させるプログラム。
【請求項１０】
プログラムが記録されるコンピュータ可読記録媒体であって、前記プログラムは、実行された場合に、請求項１から６のいずれか１項に記載の方法をコンピュータに実行させる、コンピュータ可読記録媒体。
【請求項１１】
ショートトレーニングフィールド（ＳＴＦ）を含む無線パケットを６０ＧＨｚ周波数帯で受信する段階と、
前記ＳＴＦと第１のプリアンブルコンポーネントシーケンスとの間の相互相関ピークの第１の数、及び、前記ＳＴＦと第２のプリアンブルコンポーネントシーケンスとの間の相互相関ピークの第２の数を決定する段階であって、第１のパケットタイプに対して、前記第１の数は第１の閾値に等しい、又は、前記第２の数は第２の閾値に等しい、段階と、
位相偏移されたＳＴＦを生成すべく、前記ＳＴＦから位相偏移を除去する段階と、
前記位相偏移されたＳＴＦと前記第１のプリアンブルコンポーネントシーケンスとの間の相互相関ピークの第３の数、及び、前記位相偏移されたＳＴＦと前記第２のプリアンブルコンポーネントシーケンスとの間の相互相関ピークの第４の数を決定する段階と、
決定された前記第３の数が前記第１の閾値と等しい場合、又は、決定された前記第４の数が前記第２の閾値と等しい場合に、前記無線パケットが第２のパケットタイプであると決定する段階と、
を備える方法。
【請求項１２】
前記第１のパケットタイプは、米国電気電子技術者協会（ＩＥＥＥ）８０２．１１ａｄパケットタイプであり、前記第２のパケットタイプは、ＩＥＥＥ８０２．１１ａｙパケットタイプである、請求項１１に記載の方法。
【請求項１３】
前記ＳＴＦから前記位相偏移を除去する段階は、
【数３４】
0006523471.tif 000036
以外の線形位相回転を前記ＳＴＦに適用する段階を含む、請求項１１に記載の方法。
【請求項１４】
前記ＳＴＦから前記位相偏移を除去する段階は、ブロック回転を前記ＳＴＦに適用する段階を含む、請求項１１に記載の方法。
【請求項１５】
位相偏移されたＳＴＦを生成すべく、位相偏移をショートトレーニングフィールド（ＳＴＦ）に加える段階と、
前記位相偏移されたＳＴＦ、ヘッダ、ペイロード、及びトレーニングフィールドを含む無線パケットを６０ＧＨｚ周波数帯で送信する段階であって、前記位相偏移されたＳＴＦは、第１のプリアンブルコンポーネントシーケンスと相関する場合に、相互相関ピークの第１の数を、第２のプリアンブルコンポーネントシーケンスと相関する場合に、相互相関ピークの第２の数を生成し、前記位相偏移されたＳＴＦは、前記位相偏移が前記位相偏移されたＳＴＦから除去された後で、前記第１のプリアンブルコンポーネントシーケンスと相関する場合に、相互相関ピークの第３の数を、前記第２のプリアンブルコンポーネントシーケンスと相関する場合に、相互相関ピークの第４の数を生成し、第１のパケットタイプに対して、前記第１の数は第１の閾値に等しい、又は、前記第２の数は第２の閾値に等しく、第２のパケットタイプに対して、前記第３の数は前記第１の閾値に等しい、又は、前記第４の数は前記第２の閾値に等しい、段階と、
を備える方法。
【請求項１６】
前記第１のパケットタイプは、米国電気電子技術者協会（ＩＥＥＥ）８０２．１１ａｄパケットタイプであり、前記第２のパケットタイプは、ＩＥＥＥ８０２．１１ａｙパケットタイプである、請求項１１に記載の方法。
【請求項１７】
前記位相偏移を前記ＳＴＦに加える段階は、
【数３５】
0006523471.tif 000037
以外の線形位相回転を前記ＳＴＦに適用する段階を含む、請求項１５に記載の方法。
【請求項１８】
前記位相偏移を前記ＳＴＦに加える段階は、ブロック回転を前記ＳＴＦに適用する段階を含む、請求項１５に記載の方法。
【請求項１９】
プロセッサと、
受信機と、
前記プロセッサによる実行のために、プログラミングを格納するコンピュータ可読記憶媒体と、
を備える受信デバイスであって、
前記プログラミングは、
ショートトレーニングフィールド（ＳＴＦ）を含む無線パケットを６０ＧＨｚ周波数帯で受信するように前記受信機に命令するオペレーションと、
前記ＳＴＦと第１のプリアンブルコンポーネントシーケンスとの間の相互相関ピークの第１の数、及び、前記ＳＴＦと第２のプリアンブルコンポーネントシーケンスとの間の相互相関ピークの第２の数を決定するオペレーションであって、第１のパケットタイプに対して、前記第１の数は第１の閾値に等しい、又は、前記第２の数は第２の閾値に等しい、オペレーションと、
位相偏移されたＳＴＦを生成すべく、前記ＳＴＦから位相偏移を除去するオペレーションと、
前記位相偏移されたＳＴＦと前記第１のプリアンブルコンポーネントシーケンスとの間の相互相関ピークの第３の数、及び、前記位相偏移されたＳＴＦと前記第２のプリアンブルコンポーネントシーケンスとの間の相互相関ピークの第４の数を決定するオペレーションと、
決定された前記第３の数が前記第１の閾値と等しい場合、又は、決定された前記第４の数が前記第２の閾値と等しい場合に、前記無線パケットが第２のパケットタイプであると決定するオペレーションと、
を含むオペレーションを前記プロセッサに実行させ、
前記受信機は、ショートトレーニングフィールド（ＳＴＦ）を含む無線パケットを６０ＧＨｚ周波数帯で受信する、
受信デバイス。
【請求項２０】
プロセッサと、
送信機と、
前記プロセッサによる実行のために、プログラミングを格納するコンピュータ可読記憶媒体と、
を備える送信デバイスであって、
前記プログラミングは、
位相偏移されたＳＴＦを生成すべく、位相偏移をショートトレーニングフィールド（ＳＴＦ）に加えるオペレーションと、
前記位相偏移されたＳＴＦ、ヘッダ、ペイロード、及びトレーニングフィールドを含む無線パケットを生成するオペレーションであって、前記位相偏移されたＳＴＦは、第１のプリアンブルコンポーネントシーケンスと相関する場合に、相互相関ピークの第１の数を、第２のプリアンブルコンポーネントシーケンスと相関する場合に、相互相関ピークの第２の数を生成し、前記位相偏移されたＳＴＦは、前記位相偏移が前記位相偏移されたＳＴＦから除去された後で、前記第１のプリアンブルコンポーネントシーケンスと相関する場合に、相互相関ピークの第３の数を、前記第２のプリアンブルコンポーネントシーケンスと相関する場合に、相互相関ピークの第４の数を生成し、第１のパケットタイプに対して、前記第１の数は第１の閾値に等しい、又は、前記第２の数は第２の閾値に等しく、第２のパケットタイプに対して、前記第３の数は前記第１の閾値に等しい、又は、前記第４の数は前記第２の閾値に等しい、オペレーションと、
前記無線パケットを６０ＧＨｚ周波数帯で送信するように前記送信機に命令するオペレーションと、
を含むオペレーションを前記プロセッサに実行させ、
前記送信機は、前記無線パケットを６０ＧＨｚ周波数帯で送信する、
送信デバイス。
【請求項２１】
請求項１１から１８のいずれか１項に記載の方法をコンピュータに実行させるプログラム。
【請求項２２】
プログラムが記録されるコンピュータ可読記録媒体であって、前記プログラムは、実行された場合に、請求項１１から１８のいずれか１項に記載の方法をコンピュータに実行させる、コンピュータ可読記録媒体。
【発明の詳細な説明】
【技術分野】
【０００１】
本特許出願は、２０１５年２月１２日に出願された、発明の名称を「ＷＬＡＮパケットの自動検出方法及び装置」とする米国仮出願第６２／１１５，４４５号、及び２０１５年９月１７日に出願された、発明の名称を「ＳＴＦにおける６０ＧＨｚ  ＷＬＡＮパケットの自動検出システム及び方法」とする米国仮出願第６２／２１９，７９４号に対する優先権を主張し、これにより、これらの両方は、参照により本明細書に組み込まれる。
【０００２】
本発明は、概して、無線ネットワークに関し、特定の実施形態において、無線ローカルエリアネットワーク（ＷＬＡＮ）パケットの自動検出技術及びメカニズムに関する。
【背景技術】
【０００３】
高解像度（ＨＤ）ディスプレイ及び他の用途の必要性が増加したことにより、かつ、スマートフォン及びタブレットの利用が普及したことにより、より高いデータレートでの送信が可能な次世代ＷＬＡＮが必要とされている。ＩＥＥＥ８０２．１１ａｄは、世界的には無認可の６０ＧＨｚ帯、例えば、５７−６６ＧＨｚで動作するＷＬＡＮ技術である。８０２．１１ａｄよりさらに高いパフォーマンスが可能な次世代６０ＧＨｚ  ＷＬＡＮ（ＮＧ６０）が、提案されている。このようなネットワークは、より高いパフォーマンスを可能とすることがあるが、現在の８０２．１１ａｄデバイスとの互換性も必要である。
【発明の概要】
【０００４】
技術的利点が、概して、ＷＬＡＮパケットの自動検出を説明する本開示の実施形態によって実現される。
【０００５】
実施形態によれば、方法が提供される。方法は、ショートトレーニングフィールド（ＳＴＦ）を含む無線パケットを６０ＧＨｚ周波数帯で受信する段階と、ＳＴＦと第１のプリアンブルコンポーネントシーケンスとの間の相互相関ピークの第１の数、及び、ＳＴＦと第２のプリアンブルコンポーネントシーケンスとの間の相互相関ピークの第２の数を決定する段階であって、第１のパケットタイプに対して、第１の数は、第１の閾値である、又は、第２の数は、第２の閾値であり、第２のパケットタイプに対して、第１の数は、第２の閾値である、又は、第２の数は、第１の閾値である、段階と、相互相関ピークの第１の数が第２の閾値に等しい場合、又は、相互相関ピークの第２の数が第１の閾値に等しい場合に、無線パケットが第２のパケットタイプであると決定する段階と、を含む。
【０００６】
いくつかの実施形態において、第１の閾値は、４８であり、第２の閾値は、１６である。いくつかの実施形態において、第１のパケットタイプは、米国電気電子技術者協会（ＩＥＥＥ）８０２．１１ａｄパケットタイプであり、第２のパケットタイプは、ＩＥＥＥ８０２．１１ａｙパケットタイプである。いくつかの実施形態において、第１のプリアンブルコンポーネントシーケンスは、Ｇａ１２８であり、第２のプリアンブルコンポーネントシーケンスは、Ｇｂ１２８である。
【０００７】
実施形態によれば、方法が提供される。方法は、ショートトレーニングフィールド（ＳＴＦ）、ヘッダ、ペイロード、及びトレーニングフィールドを含む無線パケットを６０ＧＨｚ周波数帯で送信する段階を含み、ＳＴＦは、第１のプリアンブルコンポーネントシーケンスと相関する場合に、相互相関ピークの第１の数を生成し、ＳＴＦは、第２のプリアンブルコンポーネントシーケンスと相関する場合に、相互相関ピークの第２の数を生成し、第１のパケットタイプに対して、第１の数は、第１の閾値である、又は、第２の数は、第２の閾値であり、第２のパケットタイプに対して、第１の数は、第２の閾値である、又は、第２の数は、第１の閾値である。
【０００８】
いくつかの実施形態において、第１の閾値は、４８であり、第２の閾値は、１６である。いくつかの実施形態において、第１のパケットタイプは、米国電気電子技術者協会（ＩＥＥＥ）８０２．１１ａｄパケットタイプであり、第２のパケットタイプは、ＩＥＥＥ８０２．１１ａｙパケットタイプである。いくつかの実施形態において、第１のプリアンブルコンポーネントシーケンスは、Ｇｂ１２８であり、第２のプリアンブルコンポーネントシーケンスは、Ｇａ１２８である。
【０００９】
実施形態によれば、方法が提供される。方法は、ショートトレーニングフィールド（ＳＴＦ）を含む無線パケットを６０ＧＨｚ周波数帯で受信する段階と、ＳＴＦと第１のプリアンブルコンポーネントシーケンスとの間の相互相関ピークの第１の数、及び、ＳＴＦと第２のプリアンブルコンポーネントシーケンスとの間の相互相関ピークの第２の数を決定する段階であって、第１のパケットタイプに対して、第１の数は、第１の閾値である、又は、第２の数は、第２の閾値である、段階と、位相偏移されたＳＴＦを生成すべく、ＳＴＦから位相偏移を除去する段階と、位相偏移されたＳＴＦと第１のプリアンブルコンポーネントシーケンスとの間の相互相関ピークの第３の数、及び、位相偏移されたＳＴＦと第２のプリアンブルコンポーネントシーケンスとの間の相互相関ピークの第４の数を決定する段階と、第３の数が第１の閾値と等しい場合、又は、第４の数が第２の閾値と等しい場合に、無線パケットが第２のパケットタイプであると決定する段階と、を含む。
【００１０】
いくつかの実施形態において、第１のパケットタイプは、米国電気電子技術者協会（ＩＥＥＥ）８０２．１１ａｄパケットタイプであり、第２のパケットタイプは、ＩＥＥＥ８０２．１１ａｙパケットタイプである。いくつかの実施形態において、ＳＴＦから位相偏移を除去する段階は、
【数１】
0006523471.tif 000002
以外の線形位相回転をＳＴＦに適用する段階を含む。いくつかの実施形態において、ＳＴＦから位相偏移を除去する段階は、ブロック回転をＳＴＦに適用する段階を含む。
【００１１】
実施形態によれば、方法が提供される。方法は、位相偏移されたＳＴＦを生成すべく、位相偏移をショートトレーニングフィールド（ＳＴＦ）に加える段階と、位相偏移されたＳＴＦ、ヘッダ、ペイロード、及びトレーニングフィールドを含む無線パケットを６０ＧＨｚ周波数帯で送信する段階であって、位相偏移されたＳＴＦは、第１のプリアンブルコンポーネントシーケンスと相関する場合に、相互相関ピークの第１の数を、第２のプリアンブルコンポーネントシーケンスと相関する場合に、相互相関ピークの第２の数を生成し、位相偏移されたＳＴＦは、位相偏移が位相偏移されたＳＴＦから除去された後で、第１のプリアンブルコンポーネントシーケンスと相関する場合に、相互相関ピークの第３の数を、第２のプリアンブルコンポーネントシーケンスと相関する場合に、相互相関ピークの第４の数を生成し、第１のパケットタイプに対して、第１の数は、第１の閾値である、又は、第２の数は、第２の閾値であり、第２のパケットタイプに対して、第３の数は、第１の閾値である、又は、第４の数は、第２の閾値である、段階と、を含む。
【００１２】
いくつかの実施形態において、第１のパケットタイプは、米国電気電子技術者協会（ＩＥＥＥ）８０２．１１ａｄパケットタイプであり、第２のパケットタイプは、ＩＥＥＥ８０２．１１ａｙパケットタイプである。いくつかの実施形態において、位相偏移をＳＴＦに加える段階は、
【数２】
0006523471.tif 000003
以外の線形位相回転をＳＴＦに適用する段階を含む。いくつかの実施形態において、位相偏移をＳＴＦに加える段階は、ブロック回転をＳＴＦに適用する段階を含む。
【００１３】
実施形態によれば、方法が提供される。方法は、ショートトレーニングフィールド（ＳＴＦ）を含む無線パケットを受信する段階と、第１のパケットタイプと関連付けられるプリアンブルコンポーネントシーケンスの第１のセットから、ＳＴＦと第１のプリアンブルコンポーネントシーケンスとの間の相互相関を決定し、第２のパケットタイプと関連付けられるプリアンブルコンポーネントシーケンスの第２のセットから、ＳＴＦと第２のプリアンブルコンポーネントシーケンスとの間の相互相関を決定する段階であって、第１のプリアンブルコンポーネントシーケンス及び第２のプリアンブルコンポーネントシーケンスは、ゼロ相関領域（ＺＣＺ）プロパティを有する、段階と、ＳＴＦと第２のプリアンブルコンポーネントシーケンスとの間に、ＳＴＦと第１のプリアンブルコンポーネントシーケンスとの間より強い相関がある場合に、無線パケットが第２のパケットタイプであると決定する段階と、を含む。
【００１４】
いくつかの実施形態において、第１のパケットタイプは、米国電気電子技術者協会（ＩＥＥＥ）８０２．１１ａｄパケットタイプであり、第２のパケットタイプは、ＩＥＥＥ８０２．１１ａｙパケットタイプである。いくつかの実施形態において、ＺＣＺプロパティは、幅において少なくとも６４シンボルのタイムスロットのＺＣＺである。いくつかの実施形態において、プリアンブルコンポーネントシーケンスの第１のセットは、プリアンブルコンポーネントシーケンスＧａ１２８及びＧｂ１２８を含む。いくつかの実施形態において、プリアンブルコンポーネントシーケンスの第２のセットは、プリアンブルコンポーネントシーケンスＧａ１２８，ｎｅｗ，１及びＧｂ１２８，ｎｅｗ，１を含む。いくつかの実施形態において、プリアンブルコンポーネントシーケンスの第２のセットは、相互ＺＣＺシーケンスを含む。いくつかの実施形態において、相互ＺＣＺシーケンスは、プリアンブルコンポーネントシーケンスＧａ１２８，ｎｅｗ，２及びＧｂ１２８，ｎｅｗ，２を含む。いくつかの実施形態において、プリアンブルコンポーネントシーケンスの第２のセットは、四位相偏移変調（ＱＰＳＫ）変調プリアンブルコンポーネントシーケンスを含む。いくつかの実施形態において、ＱＰＳＫ変調プリアンブルコンポーネントシーケンスは、プリアンブルコンポーネントシーケンスＡ１２８及びＢ１２８を含む。
【００１５】
実施形態によれば、方法が提供される。方法は、第１のパケットタイプと関連付けられるゴレイ相補シーケンスの第１のペアから第１のゴレイシーケンスを選択する段階であって、ゴレイ相補シーケンスの第１のペアの各ゴレイシーケンスは、第２のパケットタイプと関連付けられるゴレイ相補シーケンスの第２のペアの各ゴレイシーケンスに対するゼロ相関領域（ＺＣＺ）シーケンスである、段階と、第１のゴレイシーケンスの１つ又は複数のインスタンスを含むショートトレーニングフィールド（ＳＴＦ）を保持する無線パケットを送信する段階と、を含む。
【００１６】
いくつかの実施形態において、ゴレイ相補シーケンスの第１のペアは、プリアンブルコンポーネントシーケンスＧａ１２８，ｎｅｗ，１及びＧｂ１２８，ｎｅｗ，１を含む。いくつかの実施形態において、ゴレイ相補シーケンスの第１のペアは、相互ＺＣＺシーケンスを含む。いくつかの実施形態において、相互ＺＣＺシーケンスは、プリアンブルコンポーネントシーケンスＧａ１２８，ｎｅｗ，２及びＧｂ１２８，ｎｅｗ，２を含む。いくつかの実施形態において、ゴレイ相補シーケンスの第１のペアは、四位相偏移変調（ＱＰＳＫ）変調ゴレイ相補シーケンスを含む。いくつかの実施形態において、ＱＰＳＫ変調ゴレイ相補シーケンスは、プリアンブルコンポーネントシーケンスＡ１２８及びＢ１２８を含む。いくつかの実施形態において、無線パケットを送信する段階は、ＱＰＳＫ変調ゴレイ相補シーケンスの実部を第１のアンテナにおいて送信し、ＱＰＳＫ変調ゴレイ相補シーケンスの虚部を第２のアンテナにおいて送信する段階を含む。
【図面の簡単な説明】
【００１７】
本発明及びその利点のより完全な理解のために、ここで、添付図面と併せて、以下の説明が参照される。
【図１】実施形態に係る無線通信ネットワークの図である。
【図２】パケットの図である。
【図３Ａ】ＰＨＹパケットに対するプリアンブルコンポーネントシーケンスを示す。
【図３Ｂ】ＰＨＹパケットに対するプリアンブルコンポーネントシーケンスを示す。
【図４Ａ】非制御ＳＴＦ及び制御ＳＴＦの図である。
【図４Ｂ】非制御ＳＴＦ及び制御ＳＴＦの図である。
【図５Ａ】ＳＴＦと様々なプリアンブルコンポーネントシーケンスとの相関プロパティの図である。
【図５Ｂ】ＳＴＦと様々なプリアンブルコンポーネントシーケンスとの相関プロパティの図である。
【図５Ｃ】ＳＴＦと様々なプリアンブルコンポーネントシーケンスとの相関プロパティの図である。
【図５Ｄ】ＳＴＦと様々なプリアンブルコンポーネントシーケンスとの相関プロパティの図である。
【図６Ａ】ＳＴＦを用いた第１の自動検出スキームを示す。
【図６Ｂ】ＳＴＦを用いた第１の自動検出スキームを示す。
【図７Ａ】ＳＴＦを用いた第１の自動検出スキームを示す。
【図７Ｂ】ＳＴＦを用いた第１の自動検出スキームを示す。
【図７Ｃ】ＳＴＦを用いた第１の自動検出スキームを示す。
【図７Ｄ】ＳＴＦを用いた第１の自動検出スキームを示す。
【図８Ａ】ＳＴＦを用いた第１の自動検出スキームを示す。
【図８Ｂ】ＳＴＦを用いた第１の自動検出スキームを示す。
【図９Ａ】ＳＴＦを用いた第２の自動検出スキームを示す。
【図９Ｂ】ＳＴＦを用いた第２の自動検出スキームを示す。
【図１０Ａ】ＳＴＦを用いた第２の自動検出スキームを示す。
【図１０Ｂ】ＳＴＦを用いた第２の自動検出スキームを示す。
【図１１Ａ】ＳＴＦを用いた第２の自動検出スキームを示す。
【図１１Ｂ】ＳＴＦを用いた第２の自動検出スキームを示す。
【図１２Ａ】ＳＴＦを用いた第３の自動検出スキームを示す。
【図１２Ｂ】ＳＴＦを用いた第３の自動検出スキームを示す。
【図１３Ａ】ＳＴＦを用いた第３の自動検出スキームを示す。
【図１３Ｂ】ＳＴＦを用いた第３の自動検出スキームを示す。
【図１３Ｃ】ＳＴＦを用いた第３の自動検出スキームを示す。
【図１３Ｄ】ＳＴＦを用いた第３の自動検出スキームを示す。
【図１３Ｅ】ＳＴＦを用いた第３の自動検出スキームを示す。
【図１３Ｆ】ＳＴＦを用いた第３の自動検出スキームを示す。
【図１３Ｇ】ＳＴＦを用いた第３の自動検出スキームを示す。
【図１３Ｈ】ＳＴＦを用いた第３の自動検出スキームを示す。
【図１４Ａ】ＳＴＦを用いた第３の自動検出スキームを示す。
【図１４Ｂ】ＳＴＦを用いた第３の自動検出スキームを示す。
【図１５Ａ】ＳＴＦを用いた第３の自動検出スキームを示す。
【図１５Ｂ】ＳＴＦを用いた第３の自動検出スキームを示す。
【図１５Ｃ】ＳＴＦを用いた第３の自動検出スキームを示す。
【図１５Ｄ】ＳＴＦを用いた第３の自動検出スキームを示す。
【図１５Ｅ】ＳＴＦを用いた第３の自動検出スキームを示す。
【図１５Ｆ】ＳＴＦを用いた第３の自動検出スキームを示す。
【図１５Ｇ】ＳＴＦを用いた第３の自動検出スキームを示す。
【図１５Ｈ】ＳＴＦを用いた第３の自動検出スキームを示す。
【図１６Ａ】ＳＴＦを用いた第３の自動検出スキームを示す。
【図１６Ｂ】ＳＴＦを用いた第３の自動検出スキームを示す。
【図１７Ａ】ＳＴＦを用いた第４の自動検出スキームを示す。
【図１７Ｂ】ＳＴＦを用いた第４の自動検出スキームを示す。
【図１８Ａ】ＳＴＦを用いた第４の自動検出スキームを示す。
【図１８Ｂ】ＳＴＦを用いた第４の自動検出スキームを示す。
【図１８Ｃ】ＳＴＦを用いた第４の自動検出スキームを示す。
【図１９Ａ】ＳＴＦを用いた第４の自動検出スキームを示す。
【図１９Ｂ】ＳＴＦを用いた第４の自動検出スキームを示す。
【図２０Ａ】ＳＴＦを用いた第４の自動検出スキームを示す。
【図２０Ｂ】ＳＴＦを用いた第４の自動検出スキームを示す。
【図２０Ｃ】ＳＴＦを用いた第４の自動検出スキームを示す。
【図２０Ｄ】ＳＴＦを用いた第４の自動検出スキームを示す。
【図２１Ａ】ＳＴＦを用いた第４の自動検出スキームを示す。
【図２１Ｂ】ＳＴＦを用いた第４の自動検出スキームを示す。
【図２２Ａ】ＳＴＦを用いた第５の自動検出スキームを示す。
【図２２Ｂ】ＳＴＦを用いた第５の自動検出スキームを示す。
【図２３Ａ】ＳＴＦを用いた第５の自動検出スキームを示す。
【図２３Ｂ】ＳＴＦを用いた第５の自動検出スキームを示す。
【図２４Ａ】ＳＴＦを用いた第５の自動検出スキームを示す。
【図２４Ｂ】ＳＴＦを用いた第５の自動検出スキームを示す。
【図２５Ａ】ＳＴＦを用いた第５の自動検出スキームを示す。
【図２５Ｂ】ＳＴＦを用いた第５の自動検出スキームを示す。
【図２６】実施形態に係る処理システムの図である。
【図２７】送受信機のブロック図である。
【００１８】
異なる図において対応する番号及び記号は、他に示されない限り、概して、対応する部分を指す。図は、実施形態の関連する態様を明確にに示すために示されるものであり、必ずしも縮尺通りに示されてはいない。
【発明を実施するための形態】
【００１９】
本開示の実施形態の形成及び利用が、以下、詳細に説明される。しかしながら、本明細書に開示される概念は、多様な具体的状況において具現可能なものであり、本明細書で説明される具体的な実施形態は例示に過ぎず、特許請求の範囲を限定するために機能するものではないことを理解されたい。さらに、様々な変更、代替例及び変更例が、添付の特許請求の範囲によって定義される本開示の主旨及び範囲から逸脱することなく、本明細書においてなされ得ることを理解されたい。
【００２０】
ＩＥＥＥ８０２．１１ａｙは、現在、スループット及び範囲の拡張を実現するという目標により、ＩＥＥＥ８０２．１１ａｄに対するＮＧ６０拡張版として開発が進められている。本明細書において、受信された無線物理（ＰＨＹ）パケットがＩＥＥＥ８０２．１１ａｙ制御パケット、ＩＥＥＥ８０２．１１ａｙ非制御パケット、ＩＥＥＥ８０２．１１ａｄ制御パケット、又はＩＥＥＥ８０２．１１ａｄ非制御パケットのいずれであるかを決定するための、ショートトレーニングフィールドを用いたシステム及び方法が開示される。
【００２１】
詳細には、それぞれのＳＴＦが１つ又は複数のプリアンブルコンポーネントシーケンスと相互相関する場合に、異なる数の相互相関ピークが結果として発生するように、ＩＥＥＥ８０２．１１ａｙパケットにおけるＳＴＦフィールドは、ＩＥＥＥ８０２．１１ａｄパケットにおけるＳＴＦフィールドと異なることがある。結果として、ＩＥＥＥ８０２．１１ａｙ受信機は、相互相関を実行することによって、ＩＥＥＥ８０２．１１ａｄパケットからＩＥＥＥ８０２．１１ａｙパケットを区別可能であってよい。例えば、ＩＥＥＥ８０２．１１ａｙ受信機は、パケットにおけるＳＴＦと第１のプリアンブルコンポーネントシーケンスとの間の相互相関ピークの数、及び、パケットにおけるＳＴＦと第２のプリアンブルコンポーネントシーケンスとの間の相互相関ピークの数を決定してよい。第１のプリアンブルコンポーネントシーケンス及び第２のプリアンブルコンポーネントシーケンスは、位相外の非周期自己相関係数の合計がゼロである相補的なシーケンスであってよい。一実施形態において、第１のプリアンブルコンポーネントシーケンス及び第２のプリアンブルコンポーネントシーケンスは、ゴレイペアを形成する。ＩＥＥＥ８０２．１１ａｙ受信機は、次に、パケットにおけるＳＴＦとプリアンブルコンポーネントシーケンスの第１及び第２のペアとの間の相関ピークの数に基づいて、パケットがＩＥＥＥ８０２．１１ａｄパケット又はＩＥＥＥ８０２．１１ａｙパケットのいずれであるかを決定してよい。ＩＥＥＥ８０２．１１ａｙ受信機は、パケットにおけるＳＴＦと第１のプリアンブルコンポーネントシーケンスとの間の相互相関ピークの数が第１の閾値（例えば、１６のピーク）を超える場合、又は、パケットにおけるＳＴＦと第２のプリアンブルコンポーネントシーケンスとの間の相互相関ピークの数が第２の閾値（例えば、４８のピーク）を超える場合に、パケットがＩＥＥＥ８０２．１１ａｄパケットであると決定してよい。ＩＥＥＥ８０２．１１ａｙ受信機は、パケットにおけるＳＴＦと第２のプリアンブルコンポーネントシーケンスとの間の相互相関ピークの数が第１の閾値（例えば、１６のピーク）を超える場合、又は、パケットにおけるＳＴＦと第１のプリアンブルシーケンスとの間の相互相関ピークの数が第２の閾値（例えば、４８のピーク）を超える場合に、パケットがＩＥＥＥ８０２．１１ａｙパケットであると決定してよい。実施形態に係る８０２．１１ａｙパケットは、８０２．１１ａｄパケットから区別可能であるので、８０２．１１ａｄ受信機は、互換性がないパケットを処理し続けるのではなく、８０２．１１ａｙパケットを破棄してよい。これにより、８０２．１１ａｄ受信機における電力消費が減少可能となる。このような受信機は、これらが実施形態に係る８０２．１１ａｙパケットを破棄することを可能とする態様で既に動作しているので、このような省力が、既存の８０２．１１ａｄ受信機を再プログラミングすることなく実現されてよい。
【００２２】
ＩＥＥＥ８０２．１１ａｙパケットをＩＥＥＥ８０２．１１ａｄパケットから区別する他の技術が開示される。いくつかの実施形態において、ＩＥＥＥ８０２．１１ａｙパケットは、ＩＥＥＥ８０２．１１ａｄパケットを送信するために用いられるプリアンブルコンポーネントシーケンスの位相回転変数であるプリアンブルコンポーネントシーケンスを用いて、送信される。結果として、ＩＥＥＥ８０２．１１ａｙ受信機は、パケットにおけるＳＴＦとプリアンブルコンポーネントシーケンスのペアとの間の相互相関ピークの数を決定し、次に、ＳＴＦから位相回転を除去し、位相回転されたＳＴＦと同じプリアンブルコンポーネントシーケンスのペアとの間の相互相関ピークの数を決定することによって、ＩＥＥＥ８０２．１１ａｙパケットをＩＥＥＥ８０２．１１ａｄパケットから区別可能であってよい。ＩＥＥＥ８０２．１１ａｙ受信機は、次に、ＳＴＦ又は位相回転されたＳＴＦのいずれがプリアンブルコンポーネントシーケンスとより高度な相互相関を有するかに従って、パケットがＩＥＥＥ８０２．１１ａｄパケット又はＩＥＥＥ８０２．１１ａｙパケットのいずれであるかを決定してよい。
【００２３】
いくつかの実施形態において、プリアンブルコンポーネントシーケンスは、制御及び非制御８０２．１１ａｙパケットのＳＴＦに対して、８０２．１１ａｙに対するこれらのプリアンブルコンポーネントシーケンスが、８０２．１１ａｄに対するそれぞれのプリアンブルコンポーネントシーケンスに対して相互ゼロ相関領域（ＺＣＺ）シーケンスとなるように、選択される。プリアンブルコンポーネントシーケンスは、受信機及び送信機に認識されているフレームのプリアンブル（例えば、ＳＴＦ、ＣＥＦ）において送信されるシンボルのシーケンスである。ＩＥＥＥ８０２．１１ａｄ及び８０２．１１ａｙにおけるプリアンブルコンポーネントシーケンスは、ゴレイ相補シーケンスである。いくつかの実施形態において、プリアンブルコンポーネントシーケンスは、８０２．１１ａｙパケットにおける制御及び非制御パケットのＳＴＦに対して、これらのプリアンブルコンポーネントシーケンスが、約６５のタイムドメインシンボルのスペーシングの範囲においてゼロ相関領域を有する相互ゼロ相関領域（ＺＣＺ）シーケンスとなるように、選択される。いくつかの実施形態において、制御及び非制御８０２．１１ａｙパケットに対するプリアンブルコンポーネントシーケンスは、８０２．１１ａｙパケットにおいて用いられるために、ＱＰＳＫ変調される。
【００２４】
様々な実施形態が、利点を実現可能である。ＳＴＦ、ＣＥＦ、及び／又は１つ又は複数のヘッダにおいて自動検出を実行することによって、受信機は、受信の早い段階で、受信されたパケットのフォーマットを特定してよい。詳細には、自動検出は、ＣＥＦ、ヘッダ、又はデータフィールドの前にＳＴＦを受信する実施形態に係る物理層収束プロトコル（ＰＬＣＰ）プロトコルデータ単位（ＰＰＤＵ）の受信パイプラインにおいて、非常に早く実行されてよい。さらに、８０２．１１ａｙパケットのＳＴＦ及び／又はＣＥＦを適切に選択することは、レガシ８０２．１１ａｄデバイスが８０２．１１ａｙパケットの長さ及び変調コーディングスキーム（ＭＣＳ）を検出することを可能としてよい。これにより、自動検出中の曖昧性を減少させることができる。
【００２５】
図１は、通信データ用ネットワーク１００の図である。ネットワーク１００は、カバレッジエリア１０１を有するアクセスポイント（ＡＰ）１１０、複数のモバイルデバイス１２０、及びバックホールネットワーク１３０を含む。図示されるように、ＡＰ１１０は、モバイルデバイス１２０とのアップリンク（破線）及び／又はダウンリンク（点線）接続を確立する。これらは、モバイルデバイス１２０からＡＰ１１０に、及び逆方向にも同様にデータを伝送するように機能する。アップリンク／ダウンリンク接続を介して伝送されるデータは、モバイルデバイス１２０間で伝送されるデータ、及びバックホールネットワーク１３０によって遠隔側（不図示）との間で伝送されるデータを含んでよい。本明細書で用いられる用語「アクセスポイント」は、ｅｖｏｌｖｅｄ  ＮｏｄｅＢ（ｅＮＢ）、マクロセル、フェムトセル、Ｗｉ‐Ｆｉ  ＡＰ、又は他の無線対応デバイスのような、ネットワークにおいて無線アクセスを提供するように構成される任意のコンポーネント（又はコンポーネントの集合）を指す。ＡＰは、１つ又は複数の無線通信プロトコル、例えば、ロングタームエボリューション（ＬＴＥ）、ＬＴＥアドバンスド（ＬＴＥ−Ａ）、高速パケットアクセス（ＨＳＰＡ）、Ｗｉ‐Ｆｉ８０２．１１ａ／ｂ／ｇ／ｎ／ａｃ等に従って、無線アクセスを提供してよい。本明細書で用いられる用語「モバイルデバイス」は、ユーザ機器（ＵＥ）、移動局（ＳＴＡ）、及び他の無線対応デバイスのような、アクセスポイントとの無線接続を確立可能な任意のコンポーネント（又はコンポーネントの集合）を指す。いくつかの実施形態において、ネットワーク１００は、リレー、低電力ノード等のような、様々な他の無線デバイスを含んでよい。実施形態に係る技術は、ＡＰ１１０のような、ネットワーク１００における受信機において実行されてよい。
【００２６】
ＰＰＤＵは、ネットワークの物理（ＰＨＹ）層、例えば、オープンシステム相互接続（ＯＳＩ）モデルのレイヤ１を介して送信されるデータの単位である。ＰＰＤＵは、アドレス情報、プロトコル制御情報、及び／又はユーザデータのような情報を含む、構造化されたデータ単位である。ＰＰＤＵのパケット構造は、典型的には、ショートトレーニングフィールド（ＳＴＦ）、チャネル推定フィールド（ＣＥＦ）、ヘッダフィールド、及びデータペイロードを含む。いくつかのＰＰＤＵは、レガシヘッダフィールド（Ｌヘッダ）及びＮＧ６０ヘッダ（Ｎ−ヘッダ）フィールドを含んでもよい。自動検出は、ＳＴＦ及びＣＥＦ、及び／又は１つ又は複数のヘッダのような、８０２．１１ａｄ  ＰＰＤＵのプリアンブルを検出することによって、実行されてよい。詳細には、８０２．１１ａｄにおけるＳＴＦ及びＣＥＦは、構造化されたバイポーラベースの相補的なゴレイシーケンスを用いる。これらは、ＡＰによって利用可能ないくつかの有益な相関プロパティを有し、８０２．１１ａｙネットワークに対する自動検出を可能とする。
【００２７】
図２は、パケット２００の図である。パケット２００は、無線ＰＨＹパケットであってよく、制御又は非制御パケットであってよい。制御ＰＨＹパケットは、典型的には、これらのペイロードに制御情報を保持し、非制御ＰＨＹパケットは、典型的には、これらのペイロードにデータを保持する。非制御ＰＨＹパケットは、シングルキャリア（ＳＣ）波形及び直交周波数分割多重化（ＯＦＤＭ）波形のような、様々な波形を用いて送信されてよい。受信機は、パケット２００を受信した際に、パケット２００が非制御又は制御ＰＨＹパケットのいずれであるかを決定することを必要とすることがある。受信機は、パケット２００が８０２．１１ａｄ又は８０２．１１ａｙパケットのいずれであるかを決定することを必要とすることもある。
【００２８】
パケット２００は、ＳＴＦ２０２、ＣＥＦ２０４、ヘッダ２０６、ペイロード２０８、及びトレーニングフィールド２１０を含む。パケット２００は、他のフィールドを含んでよいことを理解されたい。ＳＴＦ２０２及びＣＥＦ２０４は、一般的に、組み合わせて、パケットプリアンブル２１２と称される。いくつかの実施形態において、ＳＴＦ２０２は、パケット２００が制御又は非制御ＰＨＹパケットのいずれであるか、又は、パケットが８０２．１１ａｄ又は８０２．１１ａｙ  ＰＨＹパケットのいずれであるかを決定するために用いられる。
【００２９】
ＣＥＦ２０４は、チャネル推定のために用いられる。パケット２００が非制御パケットである場合、ＣＥＦ２０４は、受信機が、パケット２００を伝送するために何の種類の波形が用いられたか、例えば、ＳＣ波形又はＯＦＤＭ波形のいずれが用いられたかを決定することを可能としてもよい。
【００３０】
ヘッダ２０６は、受信機がペイロード２０８をデコードすることを可能とするインジケータ又はパラメータを含んでよい。いくつかの実施形態において、ヘッダ２０６は、パケットが８０２．１１ａｄ  ＰＨＹパケット又は８０２．１１ａｙ  ＰＨＹパケットのいずれであるかを決定するために用いられてよい。
【００３１】
ペイロード２０８は、パケット２００によって保持される情報（例えば、データ）を含んでよい。トレーニングフィールド２１０は、パケット２００に付随する自動利得制御（ＡＧＣ）及びトレーニング（ＴＲＮ）Ｒ／Ｔサブフィールドのような、他のフィールドを含んでよい。
【００３２】
図３Ａ及び図３Ｂは、ＰＨＹパケットに対するプリアンブルコンポーネントシーケンスを示す。プリアンブルコンポーネントシーケンスは、１２８シンボルの長さを有する、バイポーラベースのゴレイ相補シーケンスである。図３Ａ−Ｂに示されるプリアンブルコンポーネントシーケンスは、ＩＥＥＥ８０２．１１ａｄによって、それぞれ、Ｇａ１２８及びＧｂ１２８と称される。シーケンスＧａ１２８及びＧｂ１２８は、相補的なペアを形成するゴレイシーケンスであり、添字は、シーケンスの長さが１２８であることを示す。プリアンブルコンポーネントシーケンスＧａ１２８及びＧｂ１２８は、これらが単位円上の０°又は１８０°に位置する、例えば、各シンボルが１又は−１のいずれかの変調された値を有するように、バイナリ位相偏移変調（ＢＰＳＫ）されてよい。プリアンブルコンポーネントシーケンスＧａ１２８及びＧｂ１２８は、パケット２００のＳＴＦ２０２のような、ＰＨＹパケットのＳＴＦにおいて送信されてよい。
【００３３】
図４Ａ及び図４Ｂは、それぞれ、８０２．１１ａｄパケットプリアンブルに含まれる非制御ＳＴＦ４００及び制御ＳＴＦ４５０の図である。非制御ＳＴＦ４００及び制御ＳＴＦ４５０の各々は、反復シーケンス４０２、４５２及び終止シーケンス４０４、４５４を含む。制御ＳＴＦ４５０は、終止シーケンス４５４の後に、プリフィクスシーケンス４５６をさらに含む。
【００３４】
反復シーケンス４０２、４５２は、プリアンブルコンポーネントシーケンスＧａ１２８又はＧｂ１２８の複数の反復である。反復シーケンス４０２、４５２におけるシーケンスのタイプ及び数は、非制御ＳＴＦ４００と制御ＳＴＦ４５０との間で異なってよく、これにより、受信機は、非制御８０２．１１ａｄ  ＰＨＹパケットを制御８０２．１１ａｄ  ＰＨＹパケットから区別してよい。例えば、反復シーケンス４０２は、プリアンブルコンポーネントシーケンスＧａ１２８の１６の反復であってよく、反復シーケンス４５２は、プリアンブルコンポーネントシーケンスＧｂ１２８の４８の反復であってよい。
【００３５】
終止シーケンス４０４、４５４は、それぞれ、非制御ＳＴＦ４００及び制御ＳＴＦ４５０の反復部分の終わりに発生し、従って、非制御ＳＴＦ４００及び制御ＳＴＦ４５０の終わりを示す。上述されたように、ＳＴＦは、異なる値を含んでよく、非制御又は制御ＰＨＹパケットに対して、異なる長さを有してよい。このように、終止シーケンス４０４、４５４は、ＳＴＦの終わりを示す予め定められたシーケンスである。終止シーケンス４０４、４５４は、反復シーケンス４０２、４５２に用いられるプリアンブルコンポーネントシーケンスの負インスタンスである。例えば、ここで、終止シーケンス４０４、４５４における各シンボルは、−１で乗算される。例えば、反復シーケンス４５２がプリアンブルコンポーネントシーケンスＧｂ１２８のいくつかの反復である場合、終止シーケンス４５４は、打ち消しプリアンブルコンポーネントシーケンス−Ｇｂ１２８である。従って、プリアンブルコンポーネントシーケンス−Ｇａ１２８及び−Ｇｂ１２８が、それぞれ、終止シーケンス４０４、４５４に対して選択されてよい。
【００３６】
プリフィクスシーケンス４５６は、制御ＳＴＦ４５０において、終止シーケンス４５４の後に発生する。プリフィクスシーケンス４５６は、プリアンブルコンポーネントシーケンス−Ｇａ１２８であり、ＣＥＦ２０４に対するサイクリックプリフィクスとして用いられる。非制御ＳＴＦ４００の終止シーケンス４０４は、プリアンブルコンポーネントシーケンス−Ｇａ１２８でもあるので、終止シーケンス４０４は、ＣＥＦ２０４に対するプリフィクスシーケンスとしても機能する。
【００３７】
図５Ａ及び図５Ｂは、それぞれ、非制御ＳＴＦ４００及び制御ＳＴＦ４５０とプリアンブルコンポーネントシーケンスＧａ１２８及びＧｂ１２８との相関プロパティの図である。受信機は、受信されたシーケンスが認識されているシーケンスと一致するか否かを決定するために、相互相関を実行してよい。例えば、受信機は、どのプリアンブルコンポーネントシーケンスがＳＴＦ内に保持されているかを決定するために、受信されたＳＴＦをプリアンブルコンポーネントシーケンスＧａ１２８及びＧｂ１２８と相互相関させてよい。
【００３８】
図５Ａに示されるように、非制御ＳＴＦ４００がプリアンブルコンポーネントシーケンスＧａ１２８と相関する場合、１６の正インパルス及び負インパルスが生成される。１６の正インパルスは、反復シーケンス４０２におけるプリアンブルコンポーネントシーケンスＧａ１２８の１６の正の反復を有する相関ピークに対応し、負インパルスは、終止シーケンス４０６におけるプリアンブルコンポーネントシーケンスＧａ１２８の負インスタンスを有する相関ピークに対応する。生成されたインパルスは、最大の大きさ単位、例えば、１又は−１の最大の大きさを有するように標準化される。図５Ｂに示されるように、非制御ＳＴＦ４００がプリアンブルコンポーネントシーケンスＧｂ１２８と相関する場合、相関ピークは生成されない。いくらかのノイズが生成されることはあるが、ノイズの大きさは、相関ピークとして検知されるほど大きくないであろう。図５Ａ及び図５Ｂに示されるように、相関ピークが生成されない場合でさえ、ノイズの大きさは低くても、認識可能な量のノイズがなお存在する。従って、受信されたパケットにおけるＳＴＦをプリアンブルコンポーネントシーケンスＧａ１２８及びＧｂ１２８の両方と相互相関させることによって、受信機は、パケットが非制御８０２．１１ａｄパケットであるか否かを決定可能であってよい。
【００３９】
図５Ｃ及び図５Ｄは、それぞれ、制御ＳＴＦ４５０とプリアンブルコンポーネントシーケンスＧａ１２８及びＧｂ１２８との相関プロパティの図である。図５Ｃに示されるように、制御ＳＴＦ４５０がプリアンブルコンポーネントシーケンスＧａ１２８と相関する場合、１つの負の相互相関ピークが生成される。この理由は、上に示されるように、制御ＳＴＦ４５０が、プリアンブルコンポーネントシーケンスＧａ１２８の１つの負のインスタンスを含むことである。制御ＳＴＦ４５０がプリアンブルコンポーネントシーケンスＧｂ１２８と相関する場合、４８の正インパルス及び負インパルスが生成される。これらのインパルスは、反復シーケンス４５２におけるプリアンブルコンポーネントシーケンスＧｂ１２８の４８の正の反復及びプリフィクスシーケンス４５６におけるプリアンブルコンポーネントシーケンスＧｂ１２８の１つの負のインスタンスに対応する。従って、受信されたパケットにおけるＳＴＦをプリアンブルコンポーネントシーケンスＧａ１２８及びＧｂ１２８の両方と相互相関させることによって、受信機は、パケットが８０２．１１ａｄ制御パケットであるか否かを決定可能であってよい。
【００４０】
実施形態に係る受信機は、ＳＴＦフィールドを用いて、８０２．１１ａｙパケットの受信を自動検出してもよい。従って、いくつかの実施形態において、８０２．１１ａｙパケットに対するＳＴＦは、これらが８０２．１１ａｄパケットに対するＳＴＦと異なるように、選択されてよい。実施形態に係る受信機は、次に、受信されたＰＨＹパケットのＳＴＦを用いて、ＷＬＡＮパケットの自動検出を実行してよい。８０２．１１ａｙパケットは、ＳＴＦと様々なプリアンブルコンポーネントシーケンスとの自己相関及び相互相関プロパティに従って、自動検出スキームを用いて、８０２．１１ａｄパケットから区別されてよい。
【００４１】
図６Ａ−８Ｂは、ＳＴＦを用いた第１の自動検出スキームを示す。ここで、８０２．１１ａｄ  ＳＴＦにおいて用いられるプリアンブルコンポーネントシーケンスＧａ１２８及びＧｂ１２８は、８０２．１１ａｙ  ＳＴＦにおいて用いられてもよい。８０２．１１ａｙパケットを８０２．１１ａｄパケットから区別するために、プリアンブルコンポーネントシーケンスＧａ１２８及びＧｂ１２８は、Ｇａ１２８が８０２．１１ａｙ制御パケットにおける反復シーケンスに対して用いられ、Ｇｂ１２８が８０２．１１ａｙ非制御パケットにおける反復シーケンスに対して用いられるように、８０２．１１ａｙにおける制御ＳＴＦと非制御ＳＴＦとの間で交換可能であってよい。
【００４２】
図６Ａ及び図６Ｂは、それぞれ、８０２．１１ａｙパケットプリアンブルに含まれる非制御ＳＴＦ６００及び制御ＳＴＦ６５０の図である。非制御ＳＴＦ６００及び制御ＳＴＦ６５０の各々は、反復シーケンス６０２、６５２、終止シーケンス６０４、６５４、及びプリフィクスシーケンス６０６、６５６を含む。
【００４３】
非制御ＳＴＦ６００の反復シーケンス６０２は、プリアンブルコンポーネントシーケンスＧｂ１２８の１６の反復を含み、制御ＳＴＦ６５０は、プリアンブルコンポーネントシーケンスＧａ１２８の４８の反復を含む。各ＳＴＦの終止シーケンス６０４、６５４は、反復シーケンス６０２、６５２において用いられるプリアンブルコンポーネントシーケンスの負インスタンスを含む。すなわち、シーケンス６０４は、−Ｇｂ１２８の１の反復を有し、シーケンス６５４は、−Ｇａ１２８の１の反復を有する。
【００４４】
いくつかの実施形態において、プリフィクスシーケンス６０６、６５６は、上述のように非制御ＳＴＦ４００及び制御ＳＴＦ４５０において用いられる−Ｇａ１２８のような、既定のシーケンスである。−Ｇａ１２８の単一の反復を制御ＳＴＦ６５０に加えることは、８０２．１１ａｙ  ＰＨＹパケットを受信する８０２．１１ａｄ受信機に対して、チャネル推定の精度を低下させる支援となることがある。８０２．１１ａｄ受信機は、反復シーケンス６５２及び終止シーケンス６５４を検出した後で、受信された制御ＳＴＦ６５０が非制御ＳＴＦであると誤って特定することがある。終止シーケンス６５４の後に−Ｇａ１２８の第２の反復を加えることは、８０２．１１ａｄ受信機がＣＥＦ２０４を首尾よく検出することの妨げとなる。
【００４５】
図７Ａ−７Ｄは、非制御ＳＴＦ６００及び制御ＳＴＦ６５０とプリアンブルコンポーネントシーケンスＧｂ１２８及びＧａ１２８との相互相関プロパティの図である。図７Ａは、非制御ＳＴＦ６００とプリアンブルコンポーネントシーケンスＧａ１２８との相互相関プロパティの図である。図７Ｂは、非制御ＳＴＦ６００とプリアンブルコンポーネントシーケンスＧｂ１２８との相互相関プロパティの図である。図７Ｃは、制御ＳＴＦ６５０とプリアンブルコンポーネントシーケンスＧａ１２８との相互相関プロパティの図である。図７Ｄは、制御ＳＴＦ６５０とプリアンブルコンポーネントシーケンスＧｂ１２８との相互相関プロパティの図である。
【００４６】
図７Ａ−７Ｄ及び図５Ａ−５Ｄに示されるように、受信されたＳＴＦのＰＨＹパケットタイプと、受信されたＳＴＦが異なるプリアンブルコンポーネントシーケンスと相互相関する場合に生成されるピークの数との間に、関係が存在する。この関係は、以下の表１に示されるように、ルックアップテーブルとして表されてよい。
【表１】
0006523471.tif 000004
【００４７】
上の表１に示されるように、受信されたＰＨＹパケットタイプは、ＳＴＦをプリアンブルコンポーネントシーケンスＧａ１２８及びＧｂ１２８と相互相関させ、相関結果における正ピーク数をカウントすることによって、決定されてよい。表１において、特定のパケット及びフレームタイプに対する典型的な相互相関結果を示す図の番号への参照が、さらに含まれる。
【００４８】
図８Ａは、実施形態に係る８０２．１１ａｙ自動検出方法８００の図である。８０２．１１ａｙ自動検出方法８００は、ＳＴＦを用いて受信されたパケットのＰＨＹパケットタイプを決定する場合に、８０２．１１ａｙ受信機において発生する動作を示してよい。
【００４９】
８０２．１１ａｙ自動検出方法８００は、受信されたＳＴＦをプリアンブルコンポーネントシーケンスＧａ１２８及びＧｂ１２８と相関させる（段階８０２）ことによって開始する。次に、相関ピークが、プリアンブルコンポーネントシーケンス毎に検出及びカウントされる（段階８０４）。受信されたＳＴＦの相関が、プリアンブルコンポーネントシーケンスＧａ１２８に対して約４８のピークを、又は、プリアンブルコンポーネントシーケンスＧｂ１２８に対して約１６のピークを生成した場合（段階８０６）、パケットは、８０２．１１ａｙパケットであると特定される（段階８０８）。１つのプリアンブルコンポーネントシーケンスとの相関がピークを生成した場合、他のシーケンスとの相関は、ノイズ又はゼロ値のような、ピークとはみなされない他の値を生成することがある。例えば、図７Ｃ及び７Ｄに示されるように、プリアンブルコンポーネントシーケンスＧａ１２８と相関する場合に４８のピークが生成された場合、これらの４８のピークは、プリアンブルコンポーネントシーケンスＧｂ１２８と相関する場合には生成されない。次に、パケットの復調及びデコードが、８０２．１１ａｙパケットの終わりまで続けられる（段階８１０）。
【００５０】
ＳＴＦの相関がプリアンブルコンポーネントシーケンスＧａ１２８に対して１６のピークを生成する、又は、プリアンブルコンポーネントシーケンスＧｂ１２８に対して４８のピークを生成する場合（段階８１２）、パケットは、８０２．１１ａｄパケットであると特定される（段階８１４）。最終的に、パケットの復調及びデコードが、８０２．１１ａｄパケットの終わりまで続けられる（段階８１６）。
【００５１】
図８Ｂは、実施形態に係る８０２．１１ａｄ自動検出方法８５０の図である。８０２．１１ａｄ自動検出方法８５０は、ＳＴＦを用いて受信されたパケットのＰＨＹパケットタイプを決定する場合に、８０２．１１ａｄ受信機において発生する動作を示してよい。８０２．１１ａｄ受信機は、８０２．１１ａｙパケットの検出が不可能なことがあるので、８０２．１１ａｄ自動検出方法８５０は、従って、受信された８０２．１１ａｙパケットが８０２．１１ａｄ受信機に対して互換性を有するパケットであると誤って特定することを回避することができる。
【００５２】
８０２．１１ａｄ自動検出方法８５０は、８０２．１１ａｙ  ＳＴＦを受信し、これをプリアンブルコンポーネントシーケンスＧａ１２８及びＧｂ１２８と相関させることによって開始する（段階８５２）。次に、相関ピークが、プリアンブルコンポーネントシーケンス毎に検出及びカウントされる（段階８５４）。次に、受信機は、ＳＴＦとプリアンブルコンポーネントシーケンスＧａ１２８との相関が１６のピークを生成するか否かを決定する（段階８５６）。Ｇａ１２８との相関は、例えば、ＳＴＦが非制御ＳＴＦ６００である場合に、１６のピークを生成しないことがある。この場合、Ｇｂ１２８に対する相関ピークのカウントを試みる場合に、検出失敗が発生する（段階８５８）。８０２．１１ａｄ受信機は、受信されたＳＴＦとプリアンブルコンポーネントシーケンスＧｂ１２８との相関が、（制御ＳＴＦに対して）４８のピークを生成すること、又は（非制御ＳＴＦに対して）ピークを生成しないことを期待するので、検出失敗が発生することがある。しかしながら、図７Ｂに示されるように、非制御ＳＴＦ６００とプリアンブルコンポーネントシーケンスＧｂ１２８との相関は、１６のピークを生成する。従って、８０２．１１ａｄ受信機は、非制御ＳＴＦ６００の検出を試みる場合に、検出失敗を招く。
【００５３】
代わりに、ＳＴＦとプリアンブルコンポーネントシーケンスＧａ１２８との相関が１６のピークを生成する場合、８０２．１１ａｄ受信機は、チャネル推定及びＰＨＹヘッダ検出の実行に進む（段階８６０）。このような状態は、ＳＴＦが制御ＳＴＦ６５０である場合に発生することがある。図７Ｃに示されるように、制御ＳＴＦ６５０とＧａ１２８との相関は、４８のピークを生成する。しかしながら、いくつかの８０２．１１ａｄ受信機は、４８の相関ピークのうち最初の１６のピークを検出し、制御ＳＴＦ６５０が非制御ＳＴＦ４００であると誤って特定することがある。この場合、ＰＨＹヘッダ検出を実行する場合に、検出失敗が発生する（段階８６２）。ＰＨＹヘッダ又はＳＴＦのいずれかに対して検出失敗が発生した場合、８０２．１１ａｄ自動検出方法８５０は終了する。従って、８０２．１１ａｙ  ＰＨＹパケットにおいて非制御ＳＴＦ６００及び制御ＳＴＦ６５０を用いることにより、８０２．１１ａｄ受信機が８０２．１１ａｙパケットに対するＳＴＦのレイアウト情報を有さないことがあるという事実に関わらず、８０２．１１ａｄ受信機が８０２．１１ａｙ  ＰＨＹパケットを検出及び破棄することを可能としてよい。
【００５４】
図９Ａ−１１Ｂは、ＳＴＦを用いた第２の自動検出スキームを示す。ここで、８０２．１１ａｄ  ＳＴＦにおいて用いられるプリアンブルコンポーネントシーケンスＧａ１２８及びＧｂ１２８は、８０２．１１ａｙ  ＳＴＦにおいて用いられてよい。８０２．１１ａｙパケットを８０２．１１ａｄパケットから区別するために、位相回転が、プリアンブルコンポーネントシーケンスＧａ１２８及びＧｂ１２８の各バイポーラシンボルに適用されてよい。非制御ＳＴＦ４００の反復シーケンス４０２における値は、概して、（γ１，γ２，…，γ２１７６）と表されてよい。ここで、
【数３】
0006523471.tif 000005
かつ、ｎ＝１，２，…，２１７６である。従って、位相回転を各バイポーラシンボルに適用する場合、８０２．１１ａｙ非制御ＳＴＦに対する反復シーケンスにおける値は、概して、
【数４】
0006523471.tif 000006
と表されてよい。ここで、
【数５】
0006523471.tif 000007
かつ、ｎ＝１，２，…，２１７６である。
【００５５】
同様に、制御ＳＴＦ４５０の反復シーケンス４５２における値は、概して、（γ１，γ２，…，γ６４００）と表されてよい。ここで、
【数６】
0006523471.tif 000008
かつ、ｎ＝１，２，…，６４００である。従って、位相回転を各バイポーラシンボルに適用する場合、８０２．１１ａｙ制御ＳＴＦに対する反復シーケンスにおける値は、概して、
【数７】
0006523471.tif 000009
と表されてよい。ここで、
【数８】
0006523471.tif 000010
かつ、ｎ＝１，２，…，６４００である。
【００５６】
上述されたように、プリアンブルコンポーネントシーケンスＧａ１２８及びＧｂ１２８における各シンボルは、１又は−１のいずれかの変調された値を有する。従って、各値は、
【数９】
0006523471.tif 000011
以外の値によって単位円上で線形に位相回転される。例えば、非制御ＳＴＦ４００の反復シーケンス４０２における値は、概して、
【数１０】
0006523471.tif 000012
と表されてよい。同様に、制御ＳＴＦ４５０の反復シーケンス４５２における値は、概して、
【数１１】
0006523471.tif 000013
と表されてよい。換言すると、異なる線形位相回転
【数１２】
0006523471.tif 000014
例えば、
【数１３】
0006523471.tif 000015
が、プリアンブルコンポーネントシーケンスＧａ１２８及びＧｂ１２８に対して選択及び適用されてよい。従って、いくつかの実施形態において、線形位相回転ｅｊｎφが、８０２．１１ａｙに用いられる。ここで、
【数１４】
0006523471.tif 000016
例えば、
【数１５】
0006523471.tif 000017
等である。受信機は、パケットのＳＴＦをプリアンブルコンポーネントシーケンスＧａ１２８及びＧｂ１２８と相互相関させ、次に、パケットのＳＴＦから位相回転を除去し、逆回転ＳＴＦをプリアンブルコンポーネントシーケンスＧａ１２８及びＧｂ１２８と相互相関させることによって、受信されたパケットが８０２．１１ａｄ又は８０２．１１ａｙパケットのいずれであるかを決定してよい。受信機は、次に、どのＳＴＦがプリアンブルコンポーネントシーケンスＧａ１２８及びＧｂ１２８の一方又は両方とより強い相関を有するか、例えば、どのＳＴＦが期待されたピークの数を生成するかに従って、パケットタイプを決定してよい。
【００５７】
図９Ａは、実施形態に係る８０２．１１ａｙ自動検出方法９００の図である。８０２．１１ａｙ自動検出方法９００は、ＳＴＦを用いて受信されたパケットのＰＨＹパケットタイプを決定する場合に、８０２．１１ａｙ受信機において発生する動作を示してよい。
【００５８】
８０２．１１ａｙ自動検出方法９００は、ＩＥＥＥ８０２．１１ａｄにおいて用いられる位相偏移、例えば、
【数１６】
0006523471.tif 000018
だけ、受信されたＳＴＦの位相を逆回転させることによって開始する（段階９０２）。このような逆回転は、受信されたＳＴＦがＢＰＳＫ変調シンボル、例えば、８０２．１１ａｄ  ＰＨＹ  ＳＴＦであるか否かを最初に決定するためになされてよい。次に、逆回転ＳＴＦは、プリアンブルコンポーネントシーケンスＧａ１２８及びＧｂ１２８と相関させられる（段階９０４）。次に、相関ピークが、プリアンブルコンポーネントシーケンス毎に検出及びカウントされる（段階９０６）。受信されたＳＴＦの相関がプリアンブルコンポーネントシーケンスＧａ１２８に対して１６のピークを生成する、又は、プリアンブルコンポーネントシーケンスＧｂ１２８に対して４８のピークを生成する場合（段階９０８）、パケットは、８０２．１１ａｄパケットであると特定される（段階９１０）。パケットの復調及びデコードは、８０２．１１ａｄパケットの終わりまで続けられる（段階９１２）。
【００５９】
受信されたＳＴＦの相関がプリアンブルコンポーネントシーケンスＧａ１２８に対して１６のピークを生成しない場合、又は、プリアンブルコンポーネントシーケンスＧｂ１２８に対して４８のピークを生成しない場合、受信されたＳＴＦの位相は、代わりに、ＩＥＥＥ８０２．１１ａｙにおいて用いられる位相偏移、例えば、ｅ−ｊπφだけ逆回転させられる（段階９１４）。ここで、
【数１７】
0006523471.tif 000019
である。次に、逆回転ＳＴＦは、プリアンブルコンポーネントシーケンスＧａ１２８及びＧｂ１２８と相関させられる（段階９１６）。次に、相関ピークが、プリアンブルコンポーネントシーケンス毎に検出及びカウントされる（段階９１８）。受信されたＳＴＦの相関がプリアンブルコンポーネントシーケンスＧａ１２８に対して１６のピークを生成する、又は、プリアンブルコンポーネントシーケンスＧｂ１２８に対して４８のピークを生成する場合（段階９２０）、パケットは、８０２．１１ａｙパケットであると特定される（段階９２２）。最終的に、パケットの復調及びデコードが、８０２．１１ａｙパケットの終わりまで続けられる（段階９２４）。
【００６０】
図９Ｂは、実施形態に係る８０２．１１ａｄ自動検出方法９５０の図である。８０２．１１ａｄ自動検出方法９５０は、８０２．１１ａｄ受信機において発生する動作を示してよい。
【００６１】
８０２．１１ａｄ自動検出方法９５０は、受信された８０２．１１ａｙ  ＳＴＦの位相を
【数１８】
0006523471.tif 000020
だけ逆回転させることによって開始する（段階９５２）。８０２．１１ａｄ  ＰＨＹパケットは、これらのＳＴＦにＢＰＳＫ変調シンボルを含むので、位相は、
【数１９】
0006523471.tif 000021
だけ逆回転させられる。そこで、８０２．１１ａｄ受信機は、ＢＰＳＫ変調ＳＴＦの復調のみが可能であってよい。次に、受信されたＳＴＦは、プリアンブルコンポーネントシーケンスＧａ１２８及びＧｂ１２８と相関させられる（段階９５４）。次に、プリアンブルコンポーネントシーケンス毎に、相関ピークを検出及びカウントする試みがなされる（段階９５６）。最終的に、相関ピークのカウントを試みた場合に、失敗が発生する。受信された８０２．１１ａｙ  ＳＴＦは、ＢＰＳＫ以外のスキームで変調可能である、例えば、プリアンブルコンポーネントシーケンスにおける各シンボルは、線形位相回転可能であるので、失敗が発生する。８０２．１１ａｄ受信機は、これらのシンボルを検出しなくてよい。従って、実施形態に係るＳＴＦは、既存の８０２．１１ａｄ受信機と干渉しなくてよい。
【００６２】
いくつかの実施形態において、ブロック位相回転
【数２０】
0006523471.tif 000022
が、８０２．１１ａｙ  ＳＴＦに対するプリアンブルコンポーネントシーケンスＧａ１２８及びＧｂ１２８に対して選択及び適用されてよい。すなわち、プリアンブルコンポーネントシーケンスＧａ１２８及びＧｂ１２８の各々は、プリアンブルコンポーネントシーケンスＧａ１２８，ｋ及びＧｂ１２８，ｋを生成するように、ブロック回転させられてよい。ここで、ｋは、非制御ＳＴＦに対しては１から１７、制御ＳＴＦに対しては１から５０の値である。
【００６３】
図１０Ａ及び図１０Ｂは、それぞれ、８０２．１１ａｙパケットプリアンブルに含まれる非制御ＳＴＦ１０００及び制御ＳＴＦ１０５０の図である。図示されるように、非制御ＳＴＦ４００に対するプリアンブルコンポーネントシーケンスの各シンボルは、
【数２１】
0006523471.tif 000023
だけ回転させられてよい。ここで、γｋ＝ｋπ、ｋ＝１，…，１６、かつ、γ１７＝０である。同様に、制御ＳＴＦ４５０に対するプリアンブルコンポーネントシーケンスの各シンボルは、
【数２２】
0006523471.tif 000024
だけ回転させられてよい。ここで、φｋ＝ｋπ、ｋ＝１，…，４８、かつ、φ４９＝φ５０＝０である。従って、反復シーケンス１００２における各プリアンブルコンポーネントシーケンスは、
【数２３】
0006523471.tif 000025
によって表されてよい。ここで、
【数２４】
0006523471.tif 000026
である。反復シーケンス１０５２における各プリアンブルコンポーネントシーケンスは、
【数２５】
0006523471.tif 000027
によって表されてよい。ここで、
【数２６】
0006523471.tif 000028
である。
【００６４】
図１１Ａは、実施形態に係る８０２．１１ａｙ自動検出方法１１００の図である。８０２．１１ａｙ自動検出方法１１００は、８０２．１１ａｙ受信機において発生する動作を示してよい。
【００６５】
８０２．１１ａｙ自動検出方法１１００は、受信されたＳＴＦの位相を
【数２７】
0006523471.tif 000029
だけ逆回転させることによって開始する（段階１１０２）。このような逆回転は、受信されたＳＴＦがＢＰＳＫ変調シンボル、例えば、８０２．１１ａｄ  ＰＨＹ  ＳＴＦであるか否かを最初に決定するためになされてよい。次に、逆回転ＳＴＦは、プリアンブルコンポーネントシーケンスＧａ１２８及びＧｂ１２８と相関させられる（段階１１０４）。次に、相関ピークが、プリアンブルコンポーネントシーケンス毎に検出及びカウントされる（段階１１０６）。受信されたＳＴＦの相関がプリアンブルコンポーネントシーケンスＧａ１２８に対して１６のピークを生成する、又は、プリアンブルコンポーネントシーケンスＧｂ１２８に対して４８のピークを生成する場合（段階１１０８）、パケットは、８０２．１１ａｄパケットであると特定される（段階１１１０）。パケットの復調及びデコードは、８０２．１１ａｄパケットの終わりまで続けられる（段階１１１２）。
【００６６】
受信されたＳＴＦの相関がプリアンブルコンポーネントシーケンスＧａ１２８に対して１６のピークを生成しない場合、又は、プリアンブルコンポーネントシーケンスＧｂ１２８に対して４８のピークを生成しない場合、受信されたＳＴＦの位相は、代わりに、非制御ＳＴＦに対して
【数２８】
0006523471.tif 000030
だけ、又は、制御ＳＴＦに対して
【数２９】
0006523471.tif 000031
だけ、ブロック逆回転させられる（段階１１１４）。次に、ブロック逆回転ＳＴＦは、プリアンブルコンポーネントシーケンスＧａ１２８及びＧｂ１２８と相関させられる（段階１１１６）。次に、相関ピークが、プリアンブルコンポーネントシーケンス毎に検出及びカウントされる（段階１１１８）。受信されたＳＴＦの相関がプリアンブルコンポーネントシーケンスＧａ１２８に対して１６のピークを生成する、又は、プリアンブルコンポーネントシーケンスＧｂ１２８に対して４８のピークを生成する場合（段階１１２０）、パケットは、８０２．１１ａｙパケットであると特定される（段階１１２２）。最終的に、パケットの復調及びデコードが、８０２．１１ａｙパケットの終わりまで続けられる（段階１１２４）。
【００６７】
図１１Ｂは、実施形態に係る８０２．１１ａｄ自動検出方法１１５０の図である。８０２．１１ａｄ自動検出方法１１５０は、８０２．１１ａｄ受信機において発生する動作を示してよい。
【００６８】
８０２．１１ａｄ自動検出方法１１５０は、受信された８０２．１１ａｙ  ＳＴＦの位相を
【数３０】
0006523471.tif 000032
だけ逆回転させることによって開始する（段階１１５２）。８０２．１１ａｄ受信機は、ＳＴＦにおけるＢＰＳＫ変調シンボルのデコードのみが可能であってよいので、位相は、
【数３１】
0006523471.tif 000033
だけ逆回転させられる。次に、受信されたＳＴＦは、プリアンブルコンポーネントシーケンスＧａ１２８及びＧｂ１２８と相関させられる（段階１１５４）。次に、プリアンブルコンポーネントシーケンス毎に、相関ピークを検出及びカウントする試みがなされる（段階１１５６）。最終的に、相関ピークのカウントを試みた場合に、失敗が発生する。受信された８０２．１１ａｙ  ＳＴＦは、ＢＰＳＫ以外のスキームで変調可能である、例えば、プリアンブルコンポーネントシーケンスにおける各シンボルは、ブロック位相回転可能であるので、失敗が発生する。８０２．１１ａｄ受信機は、これらのシンボルを検出しなくてよい。従って、実施形態に係るＳＴＦは、既存の８０２．１１ａｄ受信機と干渉しなくてよい。
【００６９】
図１２Ａ−１６Ｂは、ＳＴＦを用いた第３の自動検出スキームを示す。ここで、新たなプリアンブルコンポーネントシーケンスが、８０２．１１ａｙ  ＰＨＹパケットにおける制御及び非制御ＳＴＦに対して選択される。いくつかの実施形態において、新たなプリアンブルコンポーネントシーケンスＧａ１２８，ｎｅｗ，１及びＧｂ１２８，ｎｅｗ，１が、それぞれ、Ｇａ１２８及びＧｂ１２８に対するゼロ相関領域（ＺＣＺ）シーケンスとなるように、選択される。理想的なＺＣＺシーケンスは、自己相関する場合に、インパルス信号（例えば、同位相の場合は１、位相外の場合は０の値）を有し、特定範囲の偏移において相互相関する場合に、０の値を有する。
【００７０】
図１２Ａ及び図１２Ｂは、実施形態に係るプリアンブルコンポーネントシーケンスＧａ１２８，ｎｅｗ，１及びＧｂ１２８，ｎｅｗ，１を示す。プリアンブルコンポーネントシーケンスＧａ１２８，ｎｅｗ，１及びＧｂ１２８，ｎｅｗ，１のＺＣＺプロパティは、これらのシーケンスが、それぞれ、非制御ＳＴＦ４００及び制御ＳＴＦ４５０の反復シーケンス４０２及び４５２におけるプリアンブルコンポーネントシーケンスＧａ１２８及びＧｂ１２８に対する置換として用いられることを可能としてよい。
【００７１】
図１３Ａ−１３Ｈは、プリアンブルコンポーネントシーケンスＧａ１２８，ｎｅｗ，１及びＧｂ１２８，ｎｅｗ，１とプリアンブルコンポーネントシーケンスＧａ１２８及びＧｂ１２８との様々な相関プロパティの図である。図１３Ａ及び図１３Ｂは、それぞれ、Ｇａ１２８，ｎｅｗ，１及びＧｂ１２８，ｎｅｗ，１の自己相関プロパティの図である。図示されるように、自己相関結果は、［−３２，３２］シンボルのタイムスロット内の偏移に対するインパルス応答であり、［−３２，３２］シンボルのタイムスロット内の偏移に対して相関を有さない。さらに、各自己相関信号毎に対する側ローブは、相対的に低い。Ｇａ１２８，ｎｅｗ，１及びＧｂ１２８，ｎｅｗ，１の自己相関の結果であるインパルス応答及び側ローブの両方は、前に図５Ａ及び５Ｃの拡大部分において示された、Ｇａ１２８及びＧｂ１２８の自己相関の結果であるインパルス応答及び側ローブと同等である。図１３Ａ−１３Ｈは、理想的なインパルス応答を示すが、自己相関結果は、真のインパルスを生成しなくてよく、むしろ、受信機が値を相関ピークであると認識するために十分な大きさの応答を生成してよいことを理解されたい。
【００７２】
図１３Ｃ及び図１３Ｄは、それぞれ、Ｇａ１２８，ｎｅｗ，１及びＧｂ１２８，ｎｅｗ，１の相互相関プロパティの図である。Ｇａ１２８，ｎｅｗ，１及びＧｂ１２８，ｎｅｗ，１の相互相関プロパティは、Ｇａ１２８とＧｂ１２８との間の相互相関と同等である。
【００７３】
図１３Ｅ及び図１３Ｆは、それぞれ、Ｇａ１２８，ｎｅｗ，１とＧａ１２８との間、及び、Ｇｂ１２８，ｎｅｗ，１とＧｂ１２８との間の相互相関プロパティの図である。図示されるように、相互相関は、［−３２，３２］内の偏移に対して、ゼロに等しい。Ｇａ１２８とＧｂ１２８との間の相互相関（上で図５Ｂにおいて示された）と異なり、Ｇａ１２８，ｎｅｗ，１及びＧｂ１２８，ｎｅｗ，１に対するゼロ相関領域範囲に、ノイズは存在しない。従って、８０２．１１ａｄ受信機は、Ｇａ１２８又はＧｂ１２８を、それぞれ、Ｇａ１２８，ｎｅｗ，１又はＧｂ１２８，ｎｅｗ，１と相関させようと試みる場合、誤検知しない。
【００７４】
図１３Ｇ及び図１３Ｈは、それぞれ、Ｇａ１２８，ｎｅｗ，１とＧｂ１２８との間、及び、Ｇｂ１２８，ｎｅｗ，１とＧａ１２８との間の相互相関プロパティの図である。Ｇａ１２８，ｎｅｗ，１とＧｂ１２８との間、及び、Ｇｂ１２８，ｎｅｗ，１とＧａ１２８との間の相互相関プロパティは、Ｇａ１２８とＧｂ１２８との間の相互相関と同等である。
【００７５】
図１４Ａ及び図１４Ｂは、それぞれ、８０２．１１ａｙパケットプリアンブルに含まれる非制御ＳＴＦ１４００及び制御ＳＴＦ１４５０の図である。非制御ＳＴＦ１４００及び制御ＳＴＦ１４５０の各々は、反復シーケンス１４０２、１４５２、それぞれが非制御ＳＴＦ１４００及び制御ＳＴＦ１４５０の終わりを示す終止シーケンス１４０４、１４５４、及びプリフィクスシーケンス１４０６、１４５６を含む。
【００７６】
反復シーケンス１４０２、１４５２は、プリアンブルコンポーネントシーケンスの複数の反復を含む。反復シーケンス１４０２は、プリアンブルコンポーネントシーケンスＧａ１２８，ｎｅｗ，１の１６の反復を含み、反復シーケンス１４５２は、プリアンブルコンポーネントシーケンスＧｂ１２８，ｎｅｗ，１の４８の反復を含む。反復シーケンス１４０２、１４５２は、任意のプリアンブルコンポーネントシーケンス及び反復回数を含んでよいことを理解されたい。
【００７７】
終止シーケンス１４０４、１４５４は、反復シーケンス１４０２、１４５２の後に発生する。終止シーケンス１４０４、１４５４は、反復シーケンス１４０２、１４５２に含まれるプリアンブルコンポーネントシーケンスの１つの負のインスタンスを含む。例えば、反復シーケンス１４０２がプリアンブルコンポーネントシーケンスＧａ１２８，ｎｅｗ，１のいくつかの反復を含む実施形態において、終止シーケンス１４０４は、−Ｇａ１２８，ｎｅｗ，１の１の反復を含む。同様に、反復シーケンス１４５２がプリアンブルコンポーネントシーケンスＧｂ１２８，ｎｅｗ，１のいくつかの反復を含む実施形態において、シーケンス１４５４は、−Ｇｂ１２８，ｎｅｗ，１の１の反復を含む。
【００７８】
プリフィクスシーケンス１４０６、１４５６は、ＣＥＦのサイクリックプリフィクスである。プリフィクスシーケンス１４０６、１４５６、すなわち、ＣＥＦの前の最後のプリアンブルコンポーネントシーケンス（−Ｇａ１２８）は、非制御ＳＴＦ４００及び制御ＳＴＦ４５０の終わりにおける同じプリアンブルコンポーネントシーケンスであってよいことに留意されたい。
【００７９】
図１５Ａ−図１５Ｄは、非制御ＳＴＦ１４００と様々なプリアンブルコンポーネントシーケンスとの相互相関プロパティの図である。図示されるように、非制御ＳＴＦ１４００は、プリアンブルコンポーネントシーケンスＧａ１２８，ｎｅｗ，１と相関する場合に、１６の正ピーク及び負ピークを生成し、プリアンブルコンポーネントシーケンスＧａ１２８と相関する場合に、１の負ピークを生成するが、他のプリアンブルコンポーネントシーケンスと相関する場合には、有意な信号を生成しない。非制御ＳＴＦ１４００とＧａ１２８，ｎｅｗ，１及びＧａ１２８以外のシーケンスとの相互相関によって生成される値は、いくつかのノイズを含むことがあるが、ノイズの大きさは、相関ピークとして検知されるほど大きくないであろう。図１５Ｅ−図１５Ｈは、制御ＳＴＦ１４５０と様々なプリアンブルコンポーネントシーケンスとの相互相関プロパティの図である。図示されるように、制御ＳＴＦ１４５０は、プリアンブルコンポーネントシーケンスＧｂ１２８，ｎｅｗ，１と相関する場合に、４８の正ピーク及び負ピークを生成し、プリアンブルコンポーネントシーケンスＧａ１２８と相関する場合に、１の負ピークを生成するが、有意な信号を生成しない。制御ＳＴＦ１４５０とＧｂ１２８，ｎｅｗ，１以外のシーケンスとの相互相関によって生成される値は、いくつかのノイズを含むことがあるが、ノイズの大きさは、相関ピークとして検知されるほど大きくないであろう。従って、非制御ＳＴＦ１４００及び制御ＳＴＦ１４５０において用いられるプリアンブルコンポーネントシーケンスに対して、各シンボルを適切に選択することにより、ＳＴＦが、ＳＴＦとプリアンブルコンポーネントシーケンスＧａ１２８，ｎｅｗ，１及びＧｂ１２８，ｎｅｗ，１とを相関させる受信機（例えば、８０２．１１ａｙ受信機）によって自動検出されることを可能としてよいが、ＳＴＦとプリアンブルコンポーネントシーケンスＧａ１２８及びＧｂ１２８とを相関させる受信機（例えば、８０２．１１ａｄ受信機）には干渉しなくてよい。
【００８０】
図１６Ａは、実施形態に係る８０２．１１ａｙ自動検出方法１６００の図である。８０２．１１ａｙ自動検出方法１６００は、ＳＴＦを用いて受信されたパケットのＰＨＹパケットタイプを決定する場合に、８０２．１１ａｙ受信機において発生する動作を示してよい。
【００８１】
８０２．１１ａｙ自動検出方法１６００は、ＳＴＦを受信し、これをプリアンブルコンポーネントシーケンスＧａ１２８，ｎｅｗ，１、Ｇｂ１２８，ｎｅｗ，１、Ｇａ１２８、及びＧｂ１２８と相関させることによって開始する（段階１６０２）。次に、相関ピークが、プリアンブルコンポーネントシーケンス毎に検出及びカウントされる（段階１６０４）。受信されたＳＴＦの相関がプリアンブルコンポーネントシーケンスＧａ１２８，ｎｅｗ，１に対して１６のピークを生成する、又は、プリアンブルコンポーネントシーケンスＧｂ１２８，ｎｅｗ，１に対して４８のピークを生成する場合（段階１６０６）、パケットは、８０２．１１ａｙパケットであると特定される（段階１６０８）。１つのプリアンブルコンポーネントシーケンスとの相関がピークを生成する場合、他のシーケンスとの相関は、有意ではない、より低い値を生成することがある。例えば、プリアンブルコンポーネントシーケンスＧａ１２８，ｎｅｗ，１と相関する場合に、１６のピークが生成される場合、プリアンブルコンポーネントシーケンスＧｂ１２８，ｎｅｗ，１と相関する場合には、値は生成されない。次に、パケットの復調及びデコードが、８０２．１１ａｙパケットの終わりまで続けられる（段階１６１０）。
【００８２】
代わりに、ＳＴＦの相関がプリアンブルコンポーネントシーケンスＧａ１２８に対して１６のピークを生成する、又は、プリアンブルコンポーネントシーケンスＧｂ１２８に対して４８のピークを生成する場合（段階１６１２）、パケットは、８０２．１１ａｄパケットであると特定される（段階１６１４）。最終的に、パケットの復調及びデコードが、８０２．１１ａｄパケットの終わりまで続けられる（段階１６１６）。
【００８３】
図１６Ｂは、実施形態に係る８０２．１１ａｄ自動検出方法１６５０の図である。８０２．１１ａｄ自動検出方法１６５０は、ＳＴＦを用いて受信されたパケットのＰＨＹパケットタイプを決定する場合に、８０２．１１ａｄ受信機において発生する動作を示してよい。８０２．１１ａｄ受信機は、８０２．１１ａｙトラフィックへの応答が不可能なことがあるので、８０２．１１ａｄ自動検出方法１６５０は、従って、受信された８０２．１１ａｙパケットが８０２．１１ａｄ受信機に対して互換性を有するパケットであると誤って特定することを回避することができる。
【００８４】
８０２．１１ａｄ自動検出方法１６５０は、８０２．１１ａｙ  ＳＴＦを受信し、これをプリアンブルコンポーネントシーケンスＧａ１２８及びＧｂ１２８と相関させることによって開始する（段階１６５２）。次に、相関ピークが、プリアンブルコンポーネントシーケンス毎に検出及びカウントされる（段階１６５４）。次に、相関プリアンブルコンポーネントシーケンスにおいて正ピークの検出を試みるが、失敗する（段階１６５６）。受信されたＳＴＦは、図１３Ｅ及び１３Ｆに示されるように、Ｇａ１２８及びＧｂ１２８に対するＺＣＺシーケンスであるプリアンブルコンポーネントシーケンスＧａ１２８，ｎｅｗ，１及びＧｂ１２８，ｎｅｗ，１を含み、従って、相関は有意値を生成しないので、検出は失敗する。最終的に、失敗したＳＴＦ検出は、同期障害を生じさせる（段階１６５８）。従って、８０２．１１ａｄ自動検出方法１６５０は、８０２．１１ａｄ受信機が、非互換性８０２．１１ａｙ  ＰＨＹパケットを受信した場合に、これが自動検出に失敗することを可能とし、受信機に、ＰＨＹパケットの剰余を無視させる。
【００８５】
図１７Ａ−２１Ｂは、ＳＴＦを用いた第４の自動検出スキームを示す。ここで、新たなプリアンブルコンポーネントシーケンスが、８０２．１１ａｙ  ＰＨＹパケットにおける制御及び非制御ＳＴＦに対して選択される。いくつかの実施形態において、新たなプリアンブルコンポーネントシーケンスＧａ１２８，ｎｅｗ，２及びＧｂ１２８，ｎｅｗ，２が相互ゼロ相関領域（ＺＣＺ）シーケンスであるように、例えば、特定範囲の偏移において相互相関する場合にこれらのシーケンスが相関ピークを生成しないように、これらのシーケンスは選択される。
【００８６】
図１７Ａ及び図１７Ｂは、実施形態に係るプリアンブルコンポーネントシーケンスＧａ１２８，ｎｅｗ，２及びＧｂ１２８，ｎｅｗ，２を示す。プリアンブルコンポーネントシーケンスＧａ１２８，ｎｅｗ，２及びＧｂ１２８，ｎｅｗ，２の相互ＺＣＺプロパティは、これらのシーケンスが、非制御ＳＴＦ４００及び制御ＳＴＦ４５０の反復シーケンス４０２、４５２におけるプリアンブルコンポーネントシーケンスＧａ１２８及びＧｂ１２８に対する置換として用いられることを可能としてよい。プリアンブルコンポーネントシーケンスＧａ１２８，ｎｅｗ，２及びＧｂ１２８，ｎｅｗ，２は、相互相関する場合に相関ピークを生成しないので、ＳＴＦに基づいて、ＰＨＹパケットを制御又は非制御パケットであると誤って特定する可能性を低下させることができる。
【００８７】
図１８Ａ−１８Ｃは、プリアンブルコンポーネントシーケンスＧａ１２８，ｎｅｗ，２及びＧｂ１２８，ｎｅｗ，２の様々な相関プロパティの図である。図１８Ａ及び図１８Ｂは、それぞれ、Ｇａ１２８，ｎｅｗ，２及びＧｂ１２８，ｎｅｗ，２の自己相関プロパティを示す。図示されるように、自己相関は、インパルス応答プロパティを有する。さらに、各自己相関の側ローブにおける値は、相対的に低く、プリアンブルコンポーネントシーケンスＧａ１２８，ｎｅｗ，２及びＧｂ１２８，ｎｅｗ，２（図１３Ａ及び１３Ｂに示される）に対する自己相関の側ローブにおける値よりさらに低くてよい。Ｇａ１２８，ｎｅｗ，２及びＧｂ１２８，ｎｅｗ，２に対するインパルス応答及び側ローブの両方は、前に図５Ａ及び５Ｃの拡大部分において示されたＧａ１２８及びＧｂ１２８に対するインパルス応答及び側ローブと同等である。
【００８８】
図１８Ｃは、Ｇａ１２８，ｎｅｗ，２及びＧｂ１２８，ｎｅｗ，２の相互相関プロパティの図である。Ｇａ１２８，ｎｅｗ，２及びＧｂ１２８，ｎｅｗ，２は、Ｇａ１２８とＧｂ１２８との間の相互相関より高度な相関を有する。図１８Ｃに示されるように、プリアンブルコンポーネントシーケンスＧａ１２８，ｎｅｗ，２及びＧｂ１２８，ｎｅｗ，２の相互相関は、相対的に低い値を生成する。
【００８９】
図１９Ａ及び図１９Ｂは、それぞれ、８０２．１１ａｙパケットプリアンブルに含まれる非制御ＳＴＦ１９００及び制御ＳＴＦ１９５０の図である。非制御ＳＴＦ１９００及び制御ＳＴＦ１９５０の各々は、反復シーケンス１９０２、１９５２、終止シーケンス１９０４、１９５４、及びプリフィクスシーケンス１９０６、１９５６を含む。反復シーケンス１９０２、１９５２は、プリアンブルコンポーネントシーケンスの複数の反復を含む。
【００９０】
反復シーケンス１９０２は、プリアンブルコンポーネントシーケンスＧａ１２８，ｎｅｗ，２の１６の反復を含み、反復シーケンス１９５２は、プリアンブルコンポーネントシーケンスＧｂ１２８，ｎｅｗ，２の４８の反復を含む。反復シーケンス１９０２、１９５２は、さらに後述されるように、任意のプリアンブルコンポーネントシーケンス及び反復回数を含んでよいことを理解されたい。
【００９１】
終止シーケンス１９０４、１９５４は、反復シーケンス１９０２、１９５２の後に発生する。シーケンス１９０４、１９５４は、反復シーケンス１９０２、１９５２に含まれるプリアンブルコンポーネントシーケンスの１つの負のインスタンスを含む。例えば、反復シーケンス１９０２がプリアンブルコンポーネントシーケンスＧａ１２８，ｎｅｗ，２のいくつかの反復を含む実施形態において、シーケンス１９０４は、−Ｇａ１２８，ｎｅｗ，２の１の反復を含む。同様に、反復シーケンス１９５２がプリアンブルコンポーネントシーケンスＧｂ１２８，ｎｅｗ，２のいくつかの反復を含む実施形態において、シーケンス１９５４は、−Ｇｂ１２８，ｎｅｗ，２の１の反復を含む。
【００９２】
プリフィクスシーケンス１９０６、１９５６は、それぞれ、非制御ＳＴＦ１９００及び制御ＳＴＦ１９５０の終わりを示す。プリフィクスシーケンス１９０６、１９５６、すなわち、ＣＥＦの前の最後のプリアンブルコンポーネントシーケンス（−Ｇａ１２８）は、非制御ＳＴＦ４００及び制御ＳＴＦ４５０における最終シーケンスと同じであってよいことに留意されたい。従って、８０２．１１ａｄ受信機が８０２．１１ａｙ  ＰＨＹパケットと完全には互換性を有さないことがあるとしても、８０２．１１ａｄ受信機は、８０２．１１ａｙ  ＳＴＦの終わりをなおも特定可能であってよい。プリフィクスシーケンス１９０６、１９５６は、ＣＥＦ２０４に対するサイクリックプリフィクスである。
【００９３】
図２０Ａ−図２０Ｄは、非制御ＳＴＦ１９００及び制御ＳＴＦ１９５０とプリアンブルコンポーネントシーケンスＧａ１２８，ｎｅｗ，２及びＧｂ１２８，ｎｅｗ，２との相互相関プロパティを示す。図示されるように、非制御ＳＴＦ１９００は、プリアンブルコンポーネントシーケンスＧａ１２８，ｎｅｗ，２と相関する場合に、１６の正ピーク及び負ピークを生成するが、又は、他のプリアンブルコンポーネントシーケンスと相関する場合には、有意な信号を生成しない。同様に、制御ＳＴＦ１９５０は、プリアンブルコンポーネントシーケンスＧｂ１２８，ｎｅｗ，２と相関する場合に、４８の正ピーク及び負ピークを生成するが、又は、他のプリアンブルコンポーネントシーケンスと相関する場合には、有意な信号を生成しない。非制御ＳＴＦ１９００及び制御ＳＴＦ１９５０とＧａ１２８，ｎｅｗ，２及びＧｂ１２８，ｎｅｗ，２以外のシーケンスとの相互相関によって生成される値は、いくつかのノイズを含むことがあるが、ノイズの大きさは、相関ピークとして検知されるほど大きくないであろう。従って、非制御ＳＴＦ１９００及び制御ＳＴＦ１９５０において用いられるプリアンブルコンポーネントシーケンスに対して、各シンボルを適切に選択することにより、ＳＴＦが、ＳＴＦとプリアンブルコンポーネントシーケンスＧａ１２８，ｎｅｗ，２及びＧｂ１２８，ｎｅｗ，２とを相関させる受信機（例えば、８０２．１１ａｙ受信機）によって自動検出されることを可能としてよいが、ＳＴＦとプリアンブルコンポーネントシーケンスＧａ１２８及びＧｂ１２８とを相関させる受信機（例えば、８０２．１１ａｄ受信機）には干渉しなくてよい。非制御ＳＴＦ１９００及び制御ＳＴＦ１９５０と他のプリアンブルコンポーネントシーケンス（例えば、Ｇａ１２８、Ｇｂ１２８）との相互相関プロパティは、図１５Ａ−１５Ｈに関連して上述されたプロパティと同様であってよい。Ｇａ１２８，ｎｅｗ，２及びＧｂ１２８，ｎｅｗ，２は相互ＺＣＺシーケンスであるので、これらは、相互相関する場合に、Ｇａ１２８，ｎｅｗ，１及びＧｂ１２８，ｎｅｗ，１より小さいノイズを生成する。例えば、図２０Ａは、図１５Ａと同じ数のピークを含むが、より小さいノイズを有する。
【００９４】
図２１Ａは、実施形態に係る８０２．１１ａｙ自動検出方法２１００の図である。８０２．１１ａｙ自動検出方法２１００は、ＳＴＦを用いて受信されたパケットのＰＨＹパケットタイプを決定する場合に、８０２．１１ａｙ受信機において発生する動作を示してよい。
【００９５】
８０２．１１ａｙ自動検出方法１６００は、ＳＴＦを受信し、これをプリアンブルコンポーネントシーケンスＧａ１２８，ｎｅｗ，２、Ｇｂ１２８，ｎｅｗ，２、Ｇａ１２８、及びＧｂ１２８と相関させることによって開始する（段階２１０２）。次に、相関ピークが、プリアンブルコンポーネントシーケンス毎に検出及びカウントされる（段階２１０４）。受信されたＳＴＦの相関がプリアンブルコンポーネントシーケンスＧａ１２８，ｎｅｗ，２に対して１６のピークを生成する、又は、プリアンブルコンポーネントシーケンスＧｂ１２８，ｎｅｗ，２に対して４８のピークを生成する場合（段階２１０６）、パケットは、８０２．１１ａｙパケットであると特定される（段階２１０８）。１つのプリアンブルコンポーネントシーケンスとの相関がピークを生成する場合、他のシーケンスとの相関は、有意ではない、より低い値を生成することがある。例えば、プリアンブルコンポーネントシーケンスＧａ１２８，ｎｅｗ，２と相関する場合に、１６のピークが生成される場合、プリアンブルコンポーネントシーケンスＧｂ１２８，ｎｅｗ，２と相関する場合には、値は生成されない。次に、パケットの復調及びデコードが、８０２．１１ａｙパケットの終わりまで続けられる（段階２１１０）。
【００９６】
代わりに、ＳＴＦの相関がプリアンブルコンポーネントシーケンスＧａ１２８に対して１６のピークを生成する、又は、プリアンブルコンポーネントシーケンスＧｂ１２８に対して４８のピークを生成する場合（段階２１１２）、パケットは、８０２．１１ａｄパケットであると特定される（段階２１１４）。最終的に、パケットの復調及びデコードが、８０２．１１ａｄパケットの終わりまで続けられる（段階２１１６）。
【００９７】
図２１Ｂは、実施形態に係る８０２．１１ａｄ自動検出方法２１５０の図である。８０２．１１ａｄ自動検出方法２１５０は、ＳＴＦを用いて受信されたパケットのＰＨＹパケットタイプを決定する場合に、８０２．１１ａｄ受信機において発生する動作を示してよい。８０２．１１ａｄ受信機は、８０２．１１ａｙパケットの検出が不可能なことがあるので、８０２．１１ａｄ自動検出方法２１５０は、従って、受信された８０２．１１ａｙパケットが８０２．１１ａｄ受信機に対して互換性を有するパケットであると誤って特定することを回避することができる。
【００９８】
８０２．１１ａｄ自動検出方法２１５０は、８０２．１１ａｙ  ＳＴＦを受信し、これをプリアンブルコンポーネントシーケンスＧａ１２８及びＧｂ１２８と相関させることによって開始する（段階２１５２）。次に、相関ピークが、プリアンブルコンポーネントシーケンス毎に検出及びカウントされる（段階２１５４）。次に、相関プリアンブルコンポーネントシーケンスにおいて正ピークの検出を試みるが、失敗する（段階２１５６）。受信されたＳＴＦは、図２０Ｃ−２０Ｄ及び２０Ｇ−２０Ｈに示されるように、相互ＺＣＺシーケンスであり、かつ、Ｇａ１２８及びＧｂ１２８と相関しないプリアンブルコンポーネントシーケンスＧａ１２８，ｎｅｗ，２及びＧｂ１２８，ｎｅｗ，２を含むので、検出は失敗する。最終的に、失敗した検出は、同期障害を生じさせる（段階２１５８）。従って、８０２．１１ａｄ自動検出方法２１５０は、８０２．１１ａｄ受信機が非互換性８０２．１１ａｙ  ＰＨＹパケットを受信した場合に、大過なく、自動検出に失敗し、動作し続けることを可能とする。
【００９９】
図２２Ａ−２５Ｂは、ＳＴＦを用いた第５の自動検出スキームを示す。ここで、新たなプリアンブルコンポーネントシーケンスが、８０２．１１ａｙ  ＰＨＹパケットにおける制御及び非制御ＳＴＦに対して選択される。いくつかの実施形態において、新たなプリアンブルコンポーネントシーケンスＡ１２８及びＢ１２８がプリアンブルコンポーネントシーケンスＧａ１２８及びＧｂ１２８の四位相偏移変調（ＱＰＳＫ）変調変数となるように、これらのシーケンスが選択される。
【０１００】
図２２Ａ−図２２Ｂは、それぞれ、実施形態に係るプリアンブルコンポーネントシーケンスＡ１２８及びＢ１２８を示す。プリアンブルコンポーネントシーケンスＡ１２８及びＢ１２８は、
Ａ１２８＝α・Ｇａ１２８＋β・Ｇａ１２８，ｎｅｗ，１・ｅｊπ／２
かつ
Ｂ１２８＝α・Ｇｂ１２８＋β・Ｇｂ１２８，ｎｅｗ，１・ｅｊπ／２
となるように選択される。ここで、０＜α，β＜１、α２＋β２＝１である。従って、プリアンブルコンポーネントシーケンスＡ１２８及びＢ１２８は、ＱＰＳＫ変調である。これは、プリアンブルコンポーネントシーケンスＡ１２８及びＢ１２８が、他の無線技術と後方互換性を有することを可能とする。いくつかの実施形態において、プリアンブルコンポーネントシーケンスＧａ１２８，ｎｅｗ，１及びＧｂ１２８，ｎｅｗ，１は、Ａ１２８及びＢ１２８の虚部が互いに置換され、プリアンブルコンポーネントシーケンスＡ１２８'及びＢ１２８'を生成するように、かつ、
Ａ１２８'＝α・Ｇａ１２８＋β・Ｇｂ１２８，ｎｅｗ，１・ｅｊπ／２
かつ
Ｂ１２８'＝α・Ｇｂ１２８＋β・Ｇａ１２８，ｎｅｗ，１・ｅｊπ／２
であって、０＜α，β＜１、α２＋β２＝１となるように、交換可能であってよい。いくつかの実施形態において、Ａ１２８及びＢ１２８は、交換可能であってよいことを理解されたい。プリアンブルコンポーネントシーケンスＡ１２８及びＢ１２８はプリアンブルコンポーネントシーケンスＧａ１２８及びＧｂ１２８のＱＰＳＫ変調変数であるので、プリアンブルコンポーネントシーケンスＡ１２８及びＢ１２８とＧａ１２８及びＧｂ１２８との相関は、それぞれ、特定範囲の偏移においてインパルス応答と等しい値を生成してよい。
【０１０１】
図２３Ａ及び図２３Ｂは、それぞれ、８０２．１１ａｙパケットプリアンブルに含まれる非制御ＳＴＦ２３００及び制御ＳＴＦ２３５０の図である。非制御ＳＴＦ２３００及び制御ＳＴＦ２３５０の各々は、反復シーケンス２３０２、２３５２及び終止シーケンス２３０６、２３５６を含む。制御ＳＴＦ２３５０は、反復シーケンス２３５２と終止シーケンス２３５６との間に介在するシーケンス２３５４をさらに含む。いくつかの実施形態において、非制御ＳＴＦ２３００は、反復シーケンス２３０２の後に、シーケンスをさらに含んでよい。
【０１０２】
反復シーケンス２３０２、２３５２は、プリアンブルコンポーネントシーケンスの複数の反復を含む。反復シーケンス２３０２は、プリアンブルコンポーネントシーケンスＡ１２８の１６の反復を含み、反復シーケンス２３５２は、プリアンブルコンポーネントシーケンスＢ１２８の４８の反復を含む。反復シーケンス２３０２、２３５２は、任意のプリアンブルコンポーネントシーケンス及び反復回数を含んでよいことを理解されたい。
【０１０３】
シーケンス２３５４は、反復シーケンス２３５２の後に発生する。シーケンス２３５４は、反復シーケンス２３５２に含まれるプリアンブルコンポーネントシーケンスの１つの負のインスタンスを含む。例えば、反復シーケンス２３５２がプリアンブルコンポーネントシーケンスＢ１２８のいくつかの反復を含む実施形態において、シーケンス２３５４は、−Ｂ１２８の１の反復を含む。
【０１０４】
終止シーケンス２３０６、２３５６は、それぞれ、非制御ＳＴＦ２３００及び制御ＳＴＦ２３５０におけるＣＥＦ２０４に対するサイクリックプリフィクスとして用いられる。終止シーケンス２３０６、２３５６、すなわち、ＣＥＦの前の最後のプリアンブルコンポーネントシーケンス（−Ｇａ１２８）は、非制御ＳＴＦ４００及び制御ＳＴＦ４５０のＣＥＦの前の最後のプリアンブルコンポーネントシーケンス（−Ｇａ１２８）と同じであってよいことに留意されたい。
【０１０５】
プリアンブルコンポーネントシーケンスＡ１２８及びＢ１２８はプリアンブルコンポーネントシーケンスＧａ１２８及びＧｂ１２８のＱＰＳＫ変調変数であるので、受信機による非制御ＳＴＦ２３００とＧａ１２８との相関は、１６の正ピーク及び１の負ピークを生成してよく、受信機による制御ＳＴＦ２３５０とＧｂ１２８との相関は、４８の正ピーク及び１の負ピークを生成してよい。
【０１０６】
図２４Ａは、実施形態に係る８０２．１１ａｙ自動検出方法２４００の図である。８０２．１１ａｙ自動検出方法２４００は、ＳＴＦを用いて受信されたパケットのＰＨＹパケットタイプを決定する場合に、８０２．１１ａｙ受信機において発生する動作を示してよい。
【０１０７】
８０２．１１ａｙ自動検出方法２４００は、ＳＴＦを受信し、これをプリアンブルコンポーネントシーケンスＡ１２８、Ｂ１２８、Ｇａ１２８、及びＧｂ１２８と相関させることによって開始する（段階２４０２）。次に、相関ピークが、プリアンブルコンポーネントシーケンス毎に検出及びカウントされる（段階２４０４）。受信されたＳＴＦの相関がプリアンブルコンポーネントシーケンスＧａ１２８に対して１６のピークを生成する、又は、プリアンブルコンポーネントシーケンスＧｂ１２８に対して４８のピークを生成する場合（段階２４０６）、パケットは、８０２．１１ａｙパケット又は８０２．１１ａｄパケットの１つであると特定される。相関ピークがプリアンブルコンポーネントシーケンスＧａ１２８又はＧｂ１２８のいずれに対しても検出されなかった場合、８０２．１１ａｙ自動検出方法２４００は、完了する。このような失敗は、例えば、８０２．１１ａｙ受信機が非互換性ＰＨＹパケットを受信した場合に発生することがある。
【０１０８】
相関ピークがプリアンブルコンポーネントシーケンスＧａ１２８又はＧｂ１２８のいずれかに対して検出された場合、８０２．１１ａｙ自動検出方法２４００は、受信されたＳＴＦの相関がプリアンブルコンポーネントシーケンスＡ１２８に対して１６のピークを生成する、又は、プリアンブルコンポーネントシーケンスＢ１２８に対して４８のピークを生成するか否かを決定する（段階２４０８）ことによって、継続する。是の場合、パケットは、８０２．１１ａｙパケットであると特定される（段階２４１０）。次に、パケットの復調及びデコードが、８０２．１１ａｙパケットの終わりまで続けられる（段階２４１２）。
【０１０９】
受信されたＳＴＦの相関がプリアンブルコンポーネントシーケンスＡ１２８に対して１６のピークを生成しない場合、又は、プリアンブルコンポーネントシーケンスＢ１２８に対して４８のピークを生成しない場合、パケットは、８０２．１１ａｄパケットであると特定される（段階２４１４）。最終的に、パケットの復調及びデコードが、８０２．１１ａｄパケットの終わりまで続けられる（段階２４１６）。従って、８０２．１１ａｙ受信機は、そのＳＴＦをＧａ１２８及びＧｂ１２８と相関させることによって、互換性のあるＰＨＹパケットの受信を検出し、次に、受信されたＳＴＦをＡ１２８及びＢ１２８とさらに相関させ、受信されたＰＨＹパケットタイプを自動検出することが可能であってよい。
【０１１０】
図２４Ｂは、実施形態に係る８０２．１１ａｄ自動検出方法２４５０の図である。８０２．１１ａｄ自動検出方法２４５０は、ＳＴＦを用いて受信されたパケットのＰＨＹパケットタイプを決定する場合に、８０２．１１ａｄ受信機において発生する動作を示してよい。８０２．１１ａｄ受信機は、８０２．１１ａｙパケットの検出が可能でないことがあるので、８０２．１１ａｄ自動検出方法２４５０は、従って、受信された８０２．１１ａｙパケットを８０２．１１ａｄ受信機に対して互換性を有するパケットであると誤って特定することを回避することができる。
【０１１１】
８０２．１１ａｄ自動検出方法２４５０は、８０２．１１ａｙ  ＳＴＦを受信し、これをプリアンブルコンポーネントシーケンスＧａ１２８及びＧｂ１２８と相関させることによって開始する（段階２４５２）。次に、相関ピークが、プリアンブルコンポーネントシーケンス毎に検出及びカウントされる（段階２４５４）。受信されたＳＴＦの相関がプリアンブルコンポーネントシーケンスＧａ１２８に対して１６のピークを生成しない場合、又は、プリアンブルコンポーネントシーケンスＧｂ１２８に対して４８のピークを生成しない場合（段階２４５６）、自動検出は失敗し、８０２．１１ａｄ自動検出方法２４５０は完了する。
【０１１２】
しかしながら、受信されたＳＴＦの相関がプリアンブルコンポーネントシーケンスＧａ１２８に対して１６のピークを生成する、又は、プリアンブルコンポーネントシーケンスＧｂ１２８に対して４８のピークを生成する場合（段階２４５６）、受信された８０２．１１ａｙ  ＰＨＹパケットのチャネル推定及びＬヘッダ検出が実行される（段階２４５８）。次に、ＰＨＹパケット長及びＬヘッダのＭＣＳが検出される（段階２４６０）。次に、８０２．１１ａｄ受信機は８０２．１１ａｙ  ＰＨＹパケットと互換性がないので、Ｎ−ヘッダを検出する場合に、検出失敗が発生する（段階２４６２）。最終的に、この失敗は、現在のＰＨＹパケットの終わりが検出されるまで、受信機を節電モードに入らせる。従って、８０２．１１ａｄ受信機は、ＳＴＦ相関の間に、８０２．１１ａｙ又は８０２．１１ａｄ  ＰＨＹパケットのいずれかの受信を検出可能であってよく、ＳＴＦの検出後、チャネル推定及びヘッダ検出の間に、非互換性８０２．１１ａｙ  ＰＨＹパケットの自動検出に大過なく失敗してよい。後の段階で自動検出に失敗することによって、８０２．１１ａｄ受信機は、非互換性ＰＨＹパケットを受信した後で節電モードに入ることができ、受信機の電力効率を向上させてよい。
【０１１３】
図２５Ａ及び図２５Ｂは、それぞれ、非制御ＳＴＦ及び制御ＳＴＦに対するアンテナ送信構成２５００、２５５０の図である。アンテナ送信構成２５００は、非制御ＳＴＦ２３００を生成するために送信される信号を示してよい。同様に、アンテナ送信構成２５５０は、制御ＳＴＦ２３５０を生成するために送信される信号を示してよい。プリアンブルコンポーネントシーケンスＡ１２８及びＢ１２８はプリアンブルコンポーネントシーケンスＧａ１２８及びＧｂ１２８のＱＰＳＫ変調変数であるので、８０２．１１ａｙ送信機は、それぞれ、非制御ＳＴＦ４００及び制御ＳＴＦ４５０の直交変数を送信することによって、非制御ＳＴＦ２３００及び制御ＳＴＦ２３５０を生成してよい。直交シーケンスは、各シーケンスを異なるアンテナにおいて送信することによって、組み合わせられてよい。例えば、プリアンブルコンポーネントシーケンスＡ１２８及びＢ１２８の実部は、第１のアンテナにおいて送信されてよく、プリアンブルコンポーネントシーケンスＡ１２８及びＢ１２８の虚部は、第２のアンテナにおいて送信されてよい。
【０１１４】
送信されたシーケンスの各々の１つはプリアンブルコンポーネントシーケンスＧａ１２８及びＧｂ１２８を含むので、８０２．１１ａｄ受信機は、従って、自動検出に失敗し、節電モードに入る前に、非互換性ＰＨＹパケットを受信し、ＰＨＹパケットのチャネル推定及びヘッダ検出を実行してよい。同様に、８０２．１１ａｙ受信機は、プリアンブルコンポーネントシーケンスＡ１２８、Ｂ１２８、Ｇａ１２８、及びＧｂ１２８と相関することによって、ＰＨＹパケットを受信し、自動検出を実行してよい。受信機による受信されたＰＨＹパケットの自動検出は、上述された８０２．１１ａｙ自動検出方法２４００及び８０２．１１ａｄ自動検出方法２４５０と同様の方法を用いて実行されてよい。
【０１１５】
図２６は、本明細書で説明される方法を実行するための、実施形態に係る処理システム２６００のブロック図である。処理システム２６００は、ホストデバイスに設けられてよい。図示されるように、処理システム２６００は、プロセッサ２６０２と、メモリ２６０４と、インタフェース２６０６−２６１０と、を含む。これらは、図２６に示されるように構成されてよい（又は、されなくてよい）。プロセッサ２６０２は、関連タスクの演算及び／又は他の処理を実行するように構成される任意のコンポーネント又はコンポーネントの集合であってよく、メモリ２６０４は、プロセッサ２６０２による実行のために、プログラミング及び／又は命令を格納するように構成される任意のコンポーネント又はコンポーネントの集合であってよい。実施形態において、メモリ２６０４は、非一時的コンピュータ可読媒体を含む。インタフェース２６０６、２６０８、２６１０は、処理システム２６００が他のデバイス／コンポーネント及び／又はユーザと通信を行うことを可能とする任意のコンポーネント又はコンポーネントの集合であってよい。例えば、インタフェース２６０６、２６０８、２６１０の１つ又は複数は、データを伝送し、プロセッサ２６０２からホストデバイス及び／又は遠隔デバイスにインストールされたアプリケーションへのメッセージを制御又は管理するように構成されてよい。他の例として、インタフェース２６０６、２６０８、２６１０の１つ又は複数は、ユーザ又はユーザデバイス（例えば、パーソナルコンピュータ（ＰＣ）等）が処理システム２６００とのインタラクト／通信を行うことを可能とするように構成されてよい。処理システム２６００は、長期ストレージ（例えば、不揮発性メモリ等）のような、図２６に示されないさらなるコンポーネントを含んでよい。
【０１１６】
いくつかの実施形態において、処理システム２６００は、通信ネットワークにアクセスする、さもなければその一部である、ネットワークデバイスに含まれる。一例において、処理システム２６００は、基地局、リレーステーション、スケジューラ、コントローラ、ゲートウェイ、ルータ、アプリケーションサーバ、又は通信ネットワークにおける任意の他のデバイスのような、無線又は有線通信ネットワークにおけるネットワーク側デバイスにある。他の実施形態において、処理システム２６００は、移動局、ユーザ機器（ＵＥ）、パーソナルコンピュータ（ＰＣ）、タブレット、ウェアラブル通信デバイス（例えば、スマートウォッチ等）、又は通信ネットワークにアクセスするように構成される任意の他のデバイスのような、無線又は有線通信ネットワークにアクセスするユーザ側デバイスにある。
【０１１７】
いくつかの実施形態において、インタフェース２６０６、２６０８、２６１０の１つ又は複数は、通信ネットワークを介してシグナリングを送信及び受信するように構成される送受信機に、処理システム２６００を接続する。図２７は、通信ネットワークを介してシグナリングを送信及び受信するように構成される送受信機２７００のブロック図である。送受信機２７００は、ホストデバイスに設けられてよい。図示されるように、送受信機２７００は、ネットワーク側インタフェース２７０２と、カプラ２７０４と、送信機２７０６と、受信機２７０８と、信号プロセッサ２７１０と、デバイス側インタフェース２７１２と、を含む。ネットワーク側インタフェース２７０２は、無線又は有線通信ネットワークを介してシグナリングを送信又は受信するように構成される任意のコンポーネント又はコンポーネントの集合を含んでよい。カプラ２７０４は、ネットワーク側インタフェース２７０２を介しての双方向通信を容易にするように構成される任意のコンポーネント又はコンポーネントの集合を含んでよい。送信機２７０６は、ベースバンド信号を、ネットワーク側インタフェース２７０２を介しての送信に適した変調キャリア信号に変換するように構成される任意のコンポーネント又はコンポーネントの集合（例えば、アップコンバータ、電力増幅器等）を含んでよい。受信機２７０８は、ネットワーク側インタフェース２７０２を介して受信されたキャリア信号をベースバンド信号に変換するように構成される任意のコンポーネント又はコンポーネントの集合（例えば、ダウンコンバータ、低ノイズ増幅器等）を含んでよい。信号プロセッサ２７１０は、ベースバンド信号を、１つ又は複数のデバイス側インタフェース２７１２を介しての通信に適したデータ信号に変換し、逆方向にも同様に変換するように構成される任意のコンポーネント又はコンポーネントの集合を含んでよい。１つ又は複数のデバイス側インタフェース２７１２は、信号プロセッサ２７１０と、ホストデバイス内のコンポーネント（例えば、処理システム２６００、ローカルエリアネットワーク（ＬＡＮ）ポート等）との間でデータ信号を伝送するように構成される任意のコンポーネント又はコンポーネントの集合を含んでよい。
【０１１８】
送受信機２７００は、任意のタイプの通信媒体を介して、シグナリングを送信及び受信してよい。いくつかの実施形態において、送受信機２７００は、無線媒体を介して、シグナリングを送信及び受信する。例えば、送受信機２７００は、セルラプロトコル（例えば、ロングタームエボリューション（ＬＴＥ）等）、無線ローカルエリアネットワーク（ＷＬＡＮ）プロトコル（例えば、Ｗｉ‐Ｆｉ等）、又は任意の他のタイプの無線プロトコル（例えば、Ｂｌｕｅｔｏｏｔｈ（登録商標）、近距離無線通信（ＮＦＣ）等）のような無線通信プロトコルに従って通信を行うように構成される無線送受信機であってよい。このような実施形態において、ネットワーク側インタフェース２７０２は、１つ又は複数のアンテナ／放射要素を含む。例えば、ネットワーク側インタフェース２７０２は、単一のアンテナ、複数の別個のアンテナ、マルチレイヤ通信、例えば、単入力多出力（ＳＩＭＯ）、多入力単出力（ＭＩＳＯ）、多入力多出力（ＭＩＭＯ）等のために構成されるマルチアンテナアレイを含んでよい。他の実施形態において、送受信機２７００は、有線媒体、例えば、ツイストペアケーブル、同軸ケーブル、光ファイバ等を介して、シグナリングを送信及び受信する。具体的な処理システム及び／又は送受信機は、示されたコンポーネントの全て、又は、コンポーネントのサブセットのみを用いてよく、統合レベルは、デバイスによって異なってよい。
【０１１９】
説明が詳述されたが、添付の特許請求の範囲によって定義される本開示の主旨及び範囲から逸脱することなく、様々な変更、代替例及び変更例がなされ得ることを理解されたい。さらに、開示の範囲は、本明細書で説明された特定の実施形態に限定されることを意図するものではない。当業者であれば、現在存在する、又は後に開発されるべきプロセス、マシン、製造、事項の構成、手段、方法、又は段階が、本明細書で説明された対応する実施形態と実質的に同じ機能を実行する、又は実質的に同じ結果を実現できることを、本開示から容易に理解しよう。従って、添付の特許請求の範囲は、このようなプロセス、マシン、製造、事項の構成、手段、方法、又は段階を、それらの範囲内に含むことを意図するものである。
本明細書によれば、以下の各項目に記載の構成もまた開示される。
［項目１］
ショートトレーニングフィールド（ＳＴＦ）を含む無線パケットを６０ＧＨｚ周波数帯で受信する段階と、
前記ＳＴＦと第１のプリアンブルコンポーネントシーケンスとの間の相互相関ピークの第１の数、及び、前記ＳＴＦと第２のプリアンブルコンポーネントシーケンスとの間の相互相関ピークの第２の数を決定する段階であって、第１のパケットタイプに対して、前記第１の数は、第１の閾値である、又は、前記第２の数は、第２の閾値であり、第２のパケットタイプに対して、前記第１の数は、前記第２の閾値である、又は、前記第２の数は、前記第１の閾値である、段階と、
相互相関ピークの前記第１の数が前記第２の閾値に等しい場合、又は、相互相関ピークの前記第２の数が前記第１の閾値に等しい場合に、前記無線パケットが前記第２のパケットタイプであると決定する段階と、
を備える方法。
［項目２］
前記第１の閾値は、４８であり、前記第２の閾値は、１６である、項目１に記載の方法。
［項目３］
前記第１のパケットタイプは、米国電気電子技術者協会（ＩＥＥＥ）８０２．１１ａｄパケットタイプであり、前記第２のパケットタイプは、ＩＥＥＥ８０２．１１ａｙパケットタイプである、項目１に記載の方法。
［項目４］
前記第１のプリアンブルコンポーネントシーケンスは、Ｇａ１２８であり、前記第２のプリアンブルコンポーネントシーケンスは、Ｇｂ１２８である、項目１に記載の方法。
［項目５］
ショートトレーニングフィールド（ＳＴＦ）、ヘッダ、ペイロード、及びトレーニングフィールドを含む無線パケットを６０ＧＨｚ周波数帯で送信する段階を備え、前記ＳＴＦは、第１のプリアンブルコンポーネントシーケンスと相関する場合に、相互相関ピークの第１の数を生成し、前記ＳＴＦは、第２のプリアンブルコンポーネントシーケンスと相関する場合に、相互相関ピークの第２の数を生成し、第１のパケットタイプに対して、前記第１の数は、第１の閾値である、又は、前記第２の数は、第２の閾値であり、第２のパケットタイプに対して、前記第１の数は、前記第２の閾値である、又は、前記第２の数は、前記第１の閾値である、方法。
［項目６］
前記第１の閾値は、４８であり、前記第２の閾値は、１６である、項目５に記載の方法。
［項目７］
前記第１のパケットタイプは、米国電気電子技術者協会（ＩＥＥＥ）８０２．１１ａｄパケットタイプであり、前記第２のパケットタイプは、ＩＥＥＥ８０２．１１ａｙパケットタイプである、項目５に記載の方法。
［項目８］
前記第１のプリアンブルコンポーネントシーケンスは、Ｇｂ１２８であり、前記第２のプリアンブルコンポーネントシーケンスは、Ｇａ１２８である、項目５に記載の方法。
［項目９］
プロセッサと、
受信機と、
前記プロセッサによる実行のために、プログラミングを格納するコンピュータ可読記憶媒体と、
を備える受信デバイスであって、
前記プログラミングは、
ショートトレーニングフィールド（ＳＴＦ）を含む無線パケットを６０ＧＨｚ周波数帯で受信するように前記受信機に命令するオペレーションと、
前記ＳＴＦと第１のプリアンブルコンポーネントシーケンスとの間の相互相関ピークの第１の数、及び、前記ＳＴＦと第２のプリアンブルコンポーネントシーケンスとの間の相互相関ピークの第２の数を決定するオペレーションであって、第１のパケットタイプに対して、前記第１の数は、第１の閾値である、又は、前記第２の数は、第２の閾値であり、第２のパケットタイプに対して、前記第１の数は、前記第２の閾値である、又は、前記第２の数は、前記第１の閾値である、オペレーションと、
相互相関ピークの前記第１の数が前記第２の閾値に等しい場合、又は、相互相関ピークの前記第２の数が前記第１の閾値に等しい場合に、前記無線パケットが前記第２のパケットタイプであると決定するオペレーションと、
を含むオペレーションを前記プロセッサに実行させ、
前記受信機は、ショートトレーニングフィールド（ＳＴＦ）を含む無線パケットを６０ＧＨｚ周波数帯で受信する、
受信デバイス。
［項目１０］
プロセッサと、
送信機と、
前記プロセッサによる実行のために、プログラミングを格納するコンピュータ可読記憶媒体と、
を備える送信デバイスであって、
前記プログラミングは、
ショートトレーニングフィールド（ＳＴＦ）、ヘッダ、ペイロード、及びトレーニングフィールドを含む無線パケットを生成するオペレーションであって、前記ＳＴＦは、第１のプリアンブルコンポーネントシーケンスと相関する場合に、相互相関ピークの第１の数を生成し、前記ＳＴＦは、第２のプリアンブルコンポーネントシーケンスと相関する場合に、相互相関ピークの第２の数を生成し、第１のパケットタイプに対して、前記第１の数は、第１の閾値である、又は、前記第２の数は、第２の閾値であり、第２のパケットタイプに対して、前記第１の数は、前記第２の閾値である、又は、前記第２の数は、前記第１の閾値である、オペレーションと、
前記無線パケットを６０ＧＨｚ周波数帯で送信するように前記送信機に命令するオペレーションと、
を含むオペレーションを前記プロセッサに実行させ、
前記送信機は、前記無線パケットを６０ＧＨｚ周波数帯で送信する、
送信デバイス。
［項目１１］
項目１から８のいずれか１項に記載の方法をコンピュータに実行させるプログラム。
［項目１２］
プログラムが記録されるコンピュータ可読記録媒体であって、前記プログラムは、実行された場合に、項目１から８のいずれか１項に記載の方法をコンピュータに実行させる、コンピュータ可読記録媒体。
［項目１３］
ショートトレーニングフィールド（ＳＴＦ）を含む無線パケットを６０ＧＨｚ周波数帯で受信する段階と、
前記ＳＴＦと第１のプリアンブルコンポーネントシーケンスとの間の相互相関ピークの第１の数、及び、前記ＳＴＦと第２のプリアンブルコンポーネントシーケンスとの間の相互相関ピークの第２の数を決定する段階であって、第１のパケットタイプに対して、前記第１の数は、第１の閾値である、又は、前記第２の数は、第２の閾値である、段階と、
位相偏移されたＳＴＦを生成すべく、前記ＳＴＦから位相偏移を除去する段階と、
前記位相偏移されたＳＴＦと前記第１のプリアンブルコンポーネントシーケンスとの間の相互相関ピークの第３の数、及び、前記位相偏移されたＳＴＦと前記第２のプリアンブルコンポーネントシーケンスとの間の相互相関ピークの第４の数を決定する段階と、
前記第３の数が前記第１の閾値と等しい場合、又は、前記第４の数が前記第２の閾値と等しい場合に、前記無線パケットが第２のパケットタイプであると決定する段階と、
を備える方法。
［項目１４］
前記第１のパケットタイプは、米国電気電子技術者協会（ＩＥＥＥ）８０２．１１ａｄパケットタイプであり、前記第２のパケットタイプは、ＩＥＥＥ８０２．１１ａｙパケットタイプである、項目１３に記載の方法。
［項目１５］
前記ＳＴＦから前記位相偏移を除去する段階は、
【数３２】
0006523471.tif 000034
以外の線形位相回転を前記ＳＴＦに適用する段階を含む、項目１３に記載の方法。
［項目１６］
前記ＳＴＦから前記位相偏移を除去する段階は、ブロック回転を前記ＳＴＦに適用する段階を含む、項目１３に記載の方法。
［項目１７］
位相偏移されたＳＴＦを生成すべく、位相偏移をショートトレーニングフィールド（ＳＴＦ）に加える段階と、
前記位相偏移されたＳＴＦ、ヘッダ、ペイロード、及びトレーニングフィールドを含む無線パケットを６０ＧＨｚ周波数帯で送信する段階であって、前記位相偏移されたＳＴＦは、第１のプリアンブルコンポーネントシーケンスと相関する場合に、相互相関ピークの第１の数を、第２のプリアンブルコンポーネントシーケンスと相関する場合に、相互相関ピークの第２の数を生成し、前記位相偏移されたＳＴＦは、前記位相偏移が前記位相偏移されたＳＴＦから除去された後で、前記第１のプリアンブルコンポーネントシーケンスと相関する場合に、相互相関ピークの第３の数を、前記第２のプリアンブルコンポーネントシーケンスと相関する場合に、相互相関ピークの第４の数を生成し、第１のパケットタイプに対して、前記第１の数は、第１の閾値である、又は、前記第２の数は、第２の閾値であり、第２のパケットタイプに対して、前記第３の数は、前記第１の閾値である、又は、前記第４の数は、前記第２の閾値である、段階と、
を備える方法。
［項目１８］
前記第１のパケットタイプは、米国電気電子技術者協会（ＩＥＥＥ）８０２．１１ａｄパケットタイプであり、前記第２のパケットタイプは、ＩＥＥＥ８０２．１１ａｙパケットタイプである、項目１３に記載の方法。
［項目１９］
前記位相偏移を前記ＳＴＦに加える段階は、
【数３３】
0006523471.tif 000035
以外の線形位相回転を前記ＳＴＦに適用する段階を含む、項目１７に記載の方法。
［項目２０］
前記位相偏移を前記ＳＴＦに加える段階は、ブロック回転を前記ＳＴＦに適用する段階を含む、項目１７に記載の方法。
［項目２１］
プロセッサと、
受信機と、
前記プロセッサによる実行のために、プログラミングを格納するコンピュータ可読記憶媒体と、
を備える受信デバイスであって、
前記プログラミングは、
ショートトレーニングフィールド（ＳＴＦ）を含む無線パケットを６０ＧＨｚ周波数帯で受信するように前記受信機に命令するオペレーションと、
前記ＳＴＦと第１のプリアンブルコンポーネントシーケンスとの間の相互相関ピークの第１の数、及び、前記ＳＴＦと第２のプリアンブルコンポーネントシーケンスとの間の相互相関ピークの第２の数を決定するオペレーションであって、第１のパケットタイプに対して、前記第１の数は、第１の閾値である、又は、前記第２の数は、第２の閾値である、オペレーションと、
位相偏移されたＳＴＦを生成すべく、前記ＳＴＦから位相偏移を除去するオペレーションと、
前記位相偏移されたＳＴＦと前記第１のプリアンブルコンポーネントシーケンスとの間の相互相関ピークの第３の数、及び、前記位相偏移されたＳＴＦと前記第２のプリアンブルコンポーネントシーケンスとの間の相互相関ピークの第４の数を決定するオペレーションと、
前記第３の数が前記第１の閾値と等しい場合、又は、前記第４の数が前記第２の閾値と等しい場合に、前記無線パケットが第２のパケットタイプであると決定するオペレーションと、
を含むオペレーションを前記プロセッサに実行させ、
前記受信機は、ショートトレーニングフィールド（ＳＴＦ）を含む無線パケットを６０ＧＨｚ周波数帯で受信する、
受信デバイス。
［項目２２］
プロセッサと、
送信機と、
前記プロセッサによる実行のために、プログラミングを格納するコンピュータ可読記憶媒体と、
を備える送信デバイスであって、
前記プログラミングは、
位相偏移されたＳＴＦを生成すべく、位相偏移をショートトレーニングフィールド（ＳＴＦ）に加えるオペレーションと、
前記位相偏移されたＳＴＦ、ヘッダ、ペイロード、及びトレーニングフィールドを含む無線パケットを生成するオペレーションであって、前記位相偏移されたＳＴＦは、第１のプリアンブルコンポーネントシーケンスと相関する場合に、相互相関ピークの第１の数を、第２のプリアンブルコンポーネントシーケンスと相関する場合に、相互相関ピークの第２の数を生成し、前記位相偏移されたＳＴＦは、前記位相偏移が前記位相偏移されたＳＴＦから除去された後で、前記第１のプリアンブルコンポーネントシーケンスと相関する場合に、相互相関ピークの第３の数を、前記第２のプリアンブルコンポーネントシーケンスと相関する場合に、相互相関ピークの第４の数を生成し、第１のパケットタイプに対して、前記第１の数は、第１の閾値である、又は、前記第２の数は、第２の閾値であり、第２のパケットタイプに対して、前記第３の数は、前記第１の閾値である、又は、前記第４の数は、前記第２の閾値である、オペレーションと、
前記無線パケットを６０ＧＨｚ周波数帯で送信するように前記送信機に命令するオペレーションと、
を含むオペレーションを前記プロセッサに実行させ、
前記送信機は、前記無線パケットを６０ＧＨｚ周波数帯で送信する、
送信デバイス。
［項目２３］
項目１３から２０のいずれか１項に記載の方法をコンピュータに実行させるプログラム。
［項目２４］
プログラムが記録されるコンピュータ可読記録媒体であって、前記プログラムは、実行された場合に、項目１３から２０のいずれか１項に記載の方法をコンピュータに実行させる、コンピュータ可読記録媒体。
［項目２５］
ショートトレーニングフィールド（ＳＴＦ）を含む無線パケットを受信する段階と、
第１のパケットタイプと関連付けられるプリアンブルコンポーネントシーケンスの第１のセットから、前記ＳＴＦと第１のプリアンブルコンポーネントシーケンスとの間の相互相関を決定し、第２のパケットタイプと関連付けられるプリアンブルコンポーネントシーケンスの第２のセットから、前記ＳＴＦと第２のプリアンブルコンポーネントシーケンスとの間の相互相関を決定する段階であって、前記第１のプリアンブルコンポーネントシーケンス及び前記第２のプリアンブルコンポーネントシーケンスは、ゼロ相関領域（ＺＣＺ）プロパティを有する、段階と、
前記ＳＴＦと前記第２のプリアンブルコンポーネントシーケンスとの間に、前記ＳＴＦと前記第１のプリアンブルコンポーネントシーケンスとの間より強い相関がある場合に、前記無線パケットが前記第２のパケットタイプであると決定する段階と、
を備える方法。
［項目２６］
前記第１のパケットタイプは、米国電気電子技術者協会（ＩＥＥＥ）８０２．１１ａｄパケットタイプであり、前記第２のパケットタイプは、ＩＥＥＥ８０２．１１ａｙパケットタイプである、項目２５に記載の方法。
［項目２７］
前記ＺＣＺプロパティは、幅において少なくとも６４シンボルのタイムスロットのＺＣＺである、項目２５に記載の方法。
［項目２８］
前記プリアンブルコンポーネントシーケンスの第１のセットは、プリアンブルコンポーネントシーケンスＧａ１２８及びＧｂ１２８を含む、項目２５に記載の方法。
［項目２９］
前記プリアンブルコンポーネントシーケンスの第２のセットは、プリアンブルコンポーネントシーケンスＧａ１２８，ｎｅｗ，１及びＧｂ１２８，ｎｅｗ，１を含む、項目２５に記載の方法。
［項目３０］
前記プリアンブルコンポーネントシーケンスの第２のセットは、相互ＺＣＺシーケンスを含む、項目２５に記載の方法。
［項目３１］
前記相互ＺＣＺシーケンスは、プリアンブルコンポーネントシーケンスＧａ１２８，ｎｅｗ，２及びＧｂ１２８，ｎｅｗ，２を含む、項目３０に記載の方法。
［項目３２］
前記プリアンブルコンポーネントシーケンスの第２のセットは、四位相偏移変調（ＱＰＳＫ）変調プリアンブルコンポーネントシーケンスを含む、項目２５に記載の方法。
［項目３３］
前記ＱＰＳＫ変調プリアンブルコンポーネントシーケンスは、プリアンブルコンポーネントシーケンスＡ１２８及びＢ１２８を含む、項目３２に記載の方法。
［項目３４］
第１のパケットタイプと関連付けられるゴレイ相補シーケンスの第１のペアから第１のゴレイシーケンスを選択する段階であって、前記ゴレイ相補シーケンスの第１のペアの各ゴレイシーケンスは、第２のパケットタイプと関連付けられるゴレイ相補シーケンスの第２のペアの各ゴレイシーケンスに対するゼロ相関領域（ＺＣＺ）シーケンスである、段階と、
前記第１のゴレイシーケンスの１つ又は複数のインスタンスを含むショートトレーニングフィールド（ＳＴＦ）を保持する無線パケットを送信する段階と、
を備える方法。
［項目３５］
前記ゴレイ相補シーケンスの第２のペアは、プリアンブルコンポーネントシーケンスＧａ１２８及びＧｂ１２８であり、前記ゴレイ相補シーケンスの第１のペアは、第２のゴレイシーケンスをさらに含み、前記第１のゴレイシーケンスは、Ｇａ１２８に対するＺＣＺシーケンスであり、前記第２のゴレイシーケンスは、Ｇｂ１２８に対するＺＣＺシーケンスである、項目３４に記載の方法。
［項目３６］
前記ゴレイ相補シーケンスの第１のペアは、プリアンブルコンポーネントシーケンスＧａ１２８，ｎｅｗ，１及びＧｂ１２８，ｎｅｗ，１を含む、項目３５に記載の方法。
［項目３７］
Ｇａ１２８，ｎｅｗ，１は、
＋１，−１，−１，＋１，−１，＋１，−１，＋１，−１，−１，−１，−１，＋１，＋１，−１，−１，＋１，−１，−１，＋１，＋１，−１，＋１，−１，−１，−１，−１，−１，−１，−１，＋１，＋１，−１，＋１，＋１，−１，＋１，−１，＋１，−１，＋１，＋１，＋１，＋１，−１，−１，＋１，＋１，＋１，−１，−１，＋１，＋１，−１，＋１，−１，−１，−１，−１，−１，−１，−１，＋１，＋１，＋１，−１，−１，＋１，−１，＋１，−１，＋１，−１，−１，−１，−１，＋１，＋１，−１，−１，＋１，−１，−１，＋１，＋１，−１，＋１，−１，−１，−１，−１，−１，−１，−１，＋１，＋１，＋１，−１，−１，＋１，−１，＋１，−１，＋１，−１，−１，−１，−１，＋１，＋１，−１，−１，−１，＋１，＋１，−１，−１，＋１，−１，＋１，＋１，＋１，＋１，＋１，＋１，＋１，−１，−１
によるシーケンスであり、
Ｇｂ１２８，ｎｅｗ，１は、
−１，＋１，＋１，−１，＋１，−１，＋１，−１，＋１，＋１，＋１，＋１，−１，−１，＋１，＋１，−１，＋１，＋１，−１，−１，＋１，−１，＋１，＋１，＋１，＋１，＋１，＋１，＋１，−１，−１，＋１，−１，−１，＋１，−１，＋１，−１，＋１，−１，−１，−１，−１，＋１，＋１，−１，−１，−１，＋１，＋１，−１，−１，＋１，−１，＋１，＋１，＋１，＋１，＋１，＋１，＋１，−１，−１，＋１，−１，−１，＋１，−１，＋１，−１，＋１，−１，−１，−１，−１，＋１，＋１，−１，−１，＋１，−１，−１，＋１，＋１，−１，＋１，−１，−１，−１，−１，−１，−１，−１，＋１，＋１，＋１，−１，−１，＋１，−１，＋１，−１，＋１，−１，−１，−１，−１，＋１，＋１，−１，−１，−１，＋１，＋１，−１，−１，＋１，−１，＋１，＋１，＋１，＋１，＋１，＋１，＋１，−１，−１
によるシーケンスである、
項目３６に記載の方法。
［項目３８］
前記ゴレイ相補シーケンスの第１のペアは、相互ＺＣＺシーケンスである、項目３５に記載の方法。
［項目３９］
前記相互ＺＣＺシーケンスは、プリアンブルコンポーネントシーケンスＧａ１２８，ｎｅｗ，２及びＧｂ１２８，ｎｅｗ，２を含む、項目３８に記載の方法。
［項目４０］
Ｇａ１２８，ｎｅｗ，２は、
−１，＋１，−１，−１，＋１，−１，−１，−１，＋１，−１，＋１，＋１，＋１，−１，−１，−１，−１，＋１，−１，−１，＋１，−１，−１，−１，−１，＋１，−１，−１，−１，＋１，＋１，＋１，＋１，−１，＋１，＋１，−１，＋１，＋１，＋１，−１，＋１，−１，−１，−１，＋１，＋１，＋１，＋１，−１，＋１，＋１，−１，＋１，＋１，＋１，＋１，−１，＋１，＋１，＋１，−１，−１，−１，＋１，−１，＋１，＋１，−１，＋１，＋１，＋１，−１，＋１，−１，−１，−１，＋１，＋１，＋１，−１，＋１，−１，−１，＋１，−１，−１，−１，−１，＋１，−１，−１，−１，＋１，＋１，＋１，＋１，−１，＋１，＋１，−１，＋１，＋１，＋１，−１，＋１，−１，−１，−１，＋１，＋１，＋１，−１，＋１，−１，−１，＋１，−１，−１，−１，−１，＋１，−１，−１，−１，＋１，＋１，＋１
によるシーケンスであり、
Ｇｂ１２８，ｎｅｗ，２は、
＋１，＋１，＋１，−１，−１，−１，＋１，−１，−１，−１，−１，＋１，−１，−１，＋１，−１，＋１，＋１，＋１，−１，−１，−１，＋１，−１，＋１，＋１，＋１，−１，＋１，＋１，−１，＋１，−１，−１，−１，＋１，＋１，＋１，−１，＋１，＋１，＋１，＋１，−１，＋１，＋１，−１，＋１，−１，−１，−１，＋１，＋１，＋１，−１，＋１，−１，−１，−１，＋１，−１，−１，＋１，−１，−１，−１，−１，＋１，＋１，＋１，−１，＋１，＋１，＋１，＋１，−１，＋１，＋１，−１，＋１，＋１，＋１，＋１，−１，−１，−１，＋１，−１，＋１，＋１，＋１，−１，＋１，＋１，−１，＋１，−１，−１，−１，＋１，＋１，＋１，−１，＋１，＋１，＋１，＋１，−１，＋１，＋１，−１，＋１，＋１，＋１，＋１，−１，−１，−１，＋１，−１，＋１，＋１，＋１，−１，＋１，＋１，−１，＋１
によるシーケンスである、項目３９に記載の方法。
［項目４１］
前記ゴレイ相補シーケンスの第１のペアは、四位相偏移変調（ＱＰＳＫ）変調ゴレイ相補シーケンスを含む、項目３４に記載の方法。
［項目４２］
前記ＱＰＳＫ変調ゴレイ相補シーケンスは、プリアンブルコンポーネントシーケンスＡ１２８及びＢ１２８を含む、項目４１に記載の方法。
［項目４３］
Ａ１２８は、
＋１＋ｊ，＋１−ｊ，−１−ｊ，−１＋ｊ，−１−ｊ，−１＋ｊ，−１−ｊ，−１＋ｊ，−１−ｊ，＋１−ｊ，−１−ｊ，＋１−ｊ，＋１＋ｊ，−１＋ｊ，−１−ｊ，＋１−ｊ，＋１＋ｊ，＋１−ｊ，−１−ｊ，−１＋ｊ，＋１＋ｊ，＋１−ｊ，＋１＋ｊ，＋１−ｊ，−１−ｊ，＋１−ｊ，−１−ｊ，＋１−ｊ，−１−ｊ，＋１−ｊ，＋１＋ｊ，−１＋ｊ，−１−ｊ，−１＋ｊ，＋１＋ｊ，＋１−ｊ，＋１＋ｊ，＋１−ｊ，＋１＋ｊ，＋１−ｊ，＋１＋ｊ，−１＋ｊ，＋１＋ｊ，−１＋ｊ，−１−ｊ，＋１−ｊ，＋１＋ｊ，−１＋ｊ，＋１＋ｊ，＋１−ｊ，−１−ｊ，−１＋ｊ，＋１＋ｊ，＋１−ｊ，＋１＋ｊ，＋１−ｊ，−１−ｊ，＋１−ｊ，−１−ｊ，＋１−ｊ，−１−ｊ，＋１−ｊ，＋１＋ｊ，−１＋ｊ，＋１＋ｊ，＋１−ｊ，−１−ｊ，−１＋ｊ，−１−ｊ，−１＋ｊ，−１−ｊ，−１＋ｊ，−１−ｊ，＋１−ｊ，−１−ｊ，＋１−ｊ，＋１＋ｊ，−１＋ｊ，−１−ｊ，＋１−ｊ，＋１＋ｊ，＋１−ｊ，−１−ｊ，−１＋ｊ，＋１＋ｊ，＋１−ｊ，＋１＋ｊ，＋１−ｊ，−１−ｊ，＋１−ｊ，−１−ｊ，＋１−ｊ，−１−ｊ，＋１−ｊ，＋１＋ｊ，−１＋ｊ，＋１＋ｊ，＋１−ｊ，−１−ｊ，−１＋ｊ，−１−ｊ，−１＋ｊ，−１−ｊ，−１＋ｊ，−１−ｊ，＋１−ｊ，−１−ｊ，＋１−ｊ，＋１＋ｊ，−１＋ｊ，−１−ｊ，＋１−ｊ，−１−ｊ，−１＋ｊ，＋１＋ｊ，＋１−ｊ，−１−ｊ，−１＋ｊ，−１−ｊ，−１＋ｊ，＋１＋ｊ，−１＋ｊ，＋１＋ｊ，−１＋ｊ，＋１＋ｊ，−１＋ｊ，−１−ｊ，＋１−ｊ
によるシーケンスであり、
Ｂ１２８は、
−１−ｊ，−１＋ｊ，＋１＋ｊ，＋１−ｊ，＋１＋ｊ，＋１−ｊ，＋１＋ｊ，＋１−ｊ，＋１＋ｊ，−１＋ｊ，＋１＋ｊ，−１＋ｊ，−１−ｊ，＋１−ｊ，＋１＋ｊ，−１＋ｊ，−１−ｊ，−１＋ｊ，＋１＋ｊ，＋１−ｊ，−１−ｊ，−１＋ｊ，−１−ｊ，−１＋ｊ，＋１＋ｊ，−１＋ｊ，＋１＋ｊ，−１＋ｊ，＋１＋ｊ，−１＋ｊ，−１−ｊ，＋１−ｊ，＋１＋ｊ，＋１−ｊ，−１−ｊ，−１＋ｊ，−１−ｊ，−１＋ｊ，−１−ｊ，−１＋ｊ，−１−ｊ，＋１−ｊ，−１−ｊ，＋１−ｊ，＋１＋ｊ，−１＋ｊ，−１−ｊ，＋１−ｊ，−１−ｊ，−１＋ｊ，＋１＋ｊ，＋１−ｊ，−１−ｊ，−１＋ｊ，−１−ｊ，−１＋ｊ，＋１＋ｊ，−１＋ｊ，＋１＋ｊ，−１＋ｊ，＋１＋ｊ，−１＋ｊ，−１−ｊ，＋１−ｊ，＋１＋ｊ，＋１−ｊ，−１−ｊ，−１＋ｊ，−１−ｊ，−１＋ｊ，−１−ｊ，−１＋ｊ，−１−ｊ，＋１−ｊ，−１−ｊ，＋１−ｊ，＋１＋ｊ，−１＋ｊ，−１−ｊ，＋１−ｊ，＋１＋ｊ，＋１−ｊ，−１−ｊ，−１＋ｊ，＋１＋ｊ，＋１−ｊ，＋１＋ｊ，＋１−ｊ，−１−ｊ，＋１−ｊ，−１−ｊ，＋１−ｊ，−１−ｊ，＋１−ｊ，＋１＋ｊ，−１＋ｊ，＋１＋ｊ，＋１−ｊ，−１−ｊ，−１＋ｊ，−１−ｊ，−１＋ｊ，−１−ｊ，−１＋ｊ，−１−ｊ，＋１−ｊ，−１−ｊ，＋１−ｊ，＋１＋ｊ，−１＋ｊ，−１−ｊ，＋１−ｊ，−１−ｊ，−１＋ｊ，＋１＋ｊ，＋１−ｊ，−１−ｊ，−１＋ｊ，−１−ｊ，−１＋ｊ，＋１＋ｊ，−１＋ｊ，＋１＋ｊ，−１＋ｊ，＋１＋ｊ，−１＋ｊ，−１−ｊ，＋１−ｊ
によるシーケンスである、項目４２に記載の方法。
［項目４４］
前記無線パケットを送信する段階は、前記ＱＰＳＫ変調ゴレイ相補シーケンスの実部を第１のアンテナにおいて送信し、前記ＱＰＳＫ変調ゴレイ相補シーケンスの虚部を第２のアンテナにおいて送信する段階を含む、項目４１に記載の方法。
［項目４５］
プロセッサと、
受信機と、
前記プロセッサによる実行のために、プログラミングを格納するコンピュータ可読記憶媒体と、
を備える受信デバイスであって、
前記プログラミングは、
ショートトレーニングフィールド（ＳＴＦ）を含む無線パケットを受信するように前記受信機に命令するオペレーションと、
第１のパケットタイプと関連付けられるプリアンブルコンポーネントシーケンスの第１のセットから、前記ＳＴＦと第１のプリアンブルコンポーネントシーケンスとの間の相互相関を決定し、第２のパケットタイプと関連付けられるプリアンブルコンポーネントシーケンスの第２のセットから、前記ＳＴＦと第２のプリアンブルコンポーネントシーケンスとの間の相互相関を決定するオペレーションであって、前記第１のプリアンブルコンポーネントシーケンス及び前記第２のプリアンブルコンポーネントシーケンスは、ゼロ相関領域（ＺＣＺ）プロパティを有する、オペレーションと、
前記ＳＴＦと前記第２のプリアンブルコンポーネントシーケンスとの間に、前記ＳＴＦと前記第１のプリアンブルコンポーネントシーケンスとの間より強い相関がある場合に、前記無線パケットが前記第２のパケットタイプであると決定するオペレーションと、
を含むオペレーションを前記プロセッサに実行させ、
前記受信機は、ショートトレーニングフィールド（ＳＴＦ）を含む無線パケットを受信する、
受信デバイス。
［項目４６］
プロセッサと、
送信機と、
前記プロセッサによる実行のために、プログラミングを格納するコンピュータ可読記憶媒体と、
を備える送信デバイスであって、
前記プログラミングは、
第１のパケットタイプと関連付けられるゴレイ相補シーケンスの第１のペアから第１のゴレイシーケンスを選択するオペレーションであって、前記ゴレイ相補シーケンスの第１のペアの各ゴレイシーケンスは、第２のパケットタイプと関連付けられるゴレイ相補シーケンスの第２のペアの各ゴレイシーケンスに対するゼロ相関領域（ＺＣＺ）シーケンスである、オペレーションと、
前記第１のゴレイシーケンスの１つ又は複数のインスタンスを含むショートトレーニングフィールド（ＳＴＦ）を保持する無線パケットを生成するオペレーションと、
前記無線パケットを送信するように前記送信機に命令するオペレーションと、
を含むオペレーションを前記プロセッサに実行させ、
前記送信機は、前記無線パケットを送信する、
送信デバイス。
［項目４７］
項目２５から４４のいずれか１項に記載の方法をコンピュータに実行させるプログラム。
［項目４８］
プログラムが記録されるコンピュータ可読記録媒体であって、前記プログラムは、実行された場合に、項目２５から４４のいずれか１項に記載の方法をコンピュータに実行させる、コンピュータ可読記録媒体。
【図１】
0006523471.tif 000038
【図２】
0006523471.tif 000039
【図３Ａ】
0006523471.tif 000040
【図３Ｂ】
0006523471.tif 000041
【図４Ａ】
0006523471.tif 000042
【図４Ｂ】
0006523471.tif 000043
【図５Ａ】
0006523471.tif 000044
【図５Ｂ】
0006523471.tif 000045
【図５Ｃ】
0006523471.tif 000046
【図５Ｄ】
0006523471.tif 000047
【図６Ａ】
0006523471.tif 000048
【図６Ｂ】
0006523471.tif 000049
【図７Ａ】
0006523471.tif 000050
【図７Ｂ】
0006523471.tif 000051
【図７Ｃ】
0006523471.tif 000052
【図７Ｄ】
0006523471.tif 000053
【図８Ａ】
0006523471.tif 000054
【図８Ｂ】
0006523471.tif 000055
【図９Ａ】
0006523471.tif 000056
【図９Ｂ】
0006523471.tif 000057
【図１０Ａ】
0006523471.tif 000058
【図１０Ｂ】
0006523471.tif 000059
【図１１Ａ】
0006523471.tif 000060
【図１１Ｂ】
0006523471.tif 000061
【図１２Ａ】
0006523471.tif 000062
【図１２Ｂ】
0006523471.tif 000063
【図１３Ａ】
0006523471.tif 000064
【図１３Ｂ】
0006523471.tif 000065
【図１３Ｃ】
0006523471.tif 000066
【図１３Ｄ】
0006523471.tif 000067
【図１３Ｅ】
0006523471.tif 000068
【図１３Ｆ】
0006523471.tif 000069
【図１３Ｇ】
0006523471.tif 000070
【図１３Ｈ】
0006523471.tif 000071
【図１４Ａ】
0006523471.tif 000072
【図１４Ｂ】
0006523471.tif 000073
【図１５Ａ】
0006523471.tif 000074
【図１５Ｂ】
0006523471.tif 000075
【図１５Ｃ】
0006523471.tif 000076
【図１５Ｄ】
0006523471.tif 000077
【図１５Ｅ】
0006523471.tif 000078
【図１５Ｆ】
0006523471.tif 000079
【図１５Ｇ】
0006523471.tif 000080
【図１５Ｈ】
0006523471.tif 000081
【図１６Ａ】
0006523471.tif 000082
【図１６Ｂ】
0006523471.tif 000083
【図１７Ａ】
0006523471.tif 000084
【図１７Ｂ】
0006523471.tif 000085
【図１８Ａ】
0006523471.tif 000086
【図１８Ｂ】
0006523471.tif 000087
【図１８Ｃ】
0006523471.tif 000088
【図１９Ａ】
0006523471.tif 000089
【図１９Ｂ】
0006523471.tif 000090
【図２０Ａ】
0006523471.tif 000091
【図２０Ｂ】
0006523471.tif 000092
【図２０Ｃ】
0006523471.tif 000093
【図２０Ｄ】
0006523471.tif 000094
【図２１Ａ】
0006523471.tif 000095
【図２１Ｂ】
0006523471.tif 000096
【図２２Ａ】
0006523471.tif 000097
【図２２Ｂ】
0006523471.tif 000098
【図２３Ａ】
0006523471.tif 000099
【図２３Ｂ】
0006523471.tif 000100
【図２４Ａ】
0006523471.tif 000101
【図２４Ｂ】
0006523471.tif 000102
【図２５Ａ】
0006523471.tif 000103
【図２５Ｂ】
0006523471.tif 000104
【図２６】
0006523471.tif 000105
【図２７】
0006523471.tif 000106